(57)【要約】【課題】設定示唆演出により遊技の興趣を向上させることができる遊技機を提供することを目的とする。【解決手段】設定値を示唆する設定示唆演出に関する通常示唆期間と有利示唆期間とのいずれかに制御し、有利示唆期間であるときにはその旨を報知し、所定条件が成立することにより所定タイミングにおいて実行され得る特定示唆演出（例えば、設定示唆演出Ｂ）については、通常示唆期間であるときよりも有利示唆期間であるときの方が遊技者にとって有利な情報を示唆する。【選択図】図１１
2020000638.tif 000002
【特許請求の範囲】
【請求項１】
可変表示可能な表示手段を備え、可変表示が停止したときの表示結果に応じて特典を付与可能な遊技機において、
有利度が異なる複数の設定値のうちいずれかの設定値を設定する設定手段と、
前記設定値に関する情報を示唆する複数種類の示唆演出のうちのいずれかを実行する示唆演出実行手段と、
特定条件が成立することにより特定期間に制御する特定期間制御手段と、
前記特定期間に制御されているときに当該特定期間中である旨を報知する報知手段とを備え、
前記複数種類の示唆演出のうち所定条件が成立することにより所定タイミングにおいて実行され得る特定示唆演出については、当該所定条件が前記特定期間以外の期間において成立したときよりも前記特定期間において成立したときの方が遊技者にとって有利な情報を示唆する、遊技機。
【請求項２】
特別役と所定役とを含む複数の役のうちのいずれの役に当選したか否かを決定する役抽選を行う役抽選手段と、
前記特別役に対応する特別表示結果が停止されることにより遊技者にとって有利な特別状態に制御する特別状態制御手段とを備え、
前記役抽選において前記所定役に当選する所定結果は、前記特別役とともに当選する第１所定結果と、前記特別役には当選していない第２所定結果とを含み、
前記特定条件は、前記特定期間以外の期間における前記役抽選の結果が前記所定結果のうちの前記第２所定結果となることにより成立可能である、請求項１に記載の遊技機。
【請求項３】
前記示唆演出実行手段は、前記所定条件が前記特定期間以外の期間において成立したときには前記複数の設定値のうち第１設定値および当該第１設定値よりも前記有利度が低い第２設定値のいずれかが設定されていることに応じて前記特定示唆演出を実行する一方、前記所定条件が前記特定期間において成立したときには前記第２設定値が設定されているときであっても前記特定示唆演出を実行せずに前記第１設定値が設定されていることに応じて前記特定示唆演出を実行する、請求項１または請求項２に記載の遊技機。
【請求項４】
前記示唆演出実行手段は、前記複数の設定値のうち第１設定値および当該第１設定値よりも前記有利度が低い第２設定値のいずれかが設定されているときであって、前記所定条件が成立することにより設定されている設定値に応じた割合にしたがって前記特定示唆演出を実行し、
前記第２設定値が設定されているときに前記特定示唆演出が実行される割合は、前記所定条件が成立したタイミングが前記特定期間以外の期間であるときよりも前記特定期間であるときの方が低い、請求項１または請求項２に記載の遊技機。
【請求項５】
前記特定示唆演出は、前記複数の設定値のうち所定の設定値を含む第１範囲に属する設定値を示唆する第１種類の特定示唆演出と、前記複数の設定値のうち前記所定の設定値とは異なる特定の設定値を含む第２範囲に属する設定値を示唆する第２種類の特定示唆演出とを含む、請求項１〜請求項４のいずれかに記載の遊技機。
【請求項６】
前記特定条件は、予め定められた期間が経過する間に亘り、遊技者にとって有利な状態または前記特定期間に制御されていないことにより成立可能である、請求項１〜請求項５のいずれかに記載の遊技機。
【発明の詳細な説明】
【技術分野】
【０００１】
本発明は、可変表示可能な表示手段を備え、可変表示が停止したときの表示結果に応じて特典を付与可能な遊技機に関する。
【背景技術】
【０００２】
遊技機の一例として、複数種類の図柄が配列されたリールを複数備え、スタートスイッチが操作されることにより役抽選を行うとともにリールの回転を開始し、役抽選の結果とストップスイッチの操作態様（押し順、操作タイミング等）とに基づいてリールの回転を停止し、すべてのリールが停止したときの入賞ライン上の図柄の組合せに応じて特典を付与可能なスロットマシンが存在する。また、遊技者にとって有利な状態として、所定の役（たとえば、小役あるいはリプレイ等）の当選確率を向上させるボーナスやＲＴ（Replay Time）、役抽選の結果が複数の役に当選する結果となったときに特典がより大きな役を入賞させるための遊技者にとって有利となる操作情報を報知するＡＴ（Assist Time）が設けられているスロットマシンも存在する。また、パチンコ球を遊技領域に発射して、遊技領域に設けられている始動入賞口に入賞することにより複数種類の図柄を可変表示させた後に停止させて図柄組合せを表示するパチンコ遊技機などが知られている。
【０００３】
このような遊技機においては、役抽選における役の当選確率（メダルの払出率）を特定するための複数種類の設定値のうち、実際に設定されている設定値に応じて複数種類の設定示唆演出のうちのいずれかを実行して、設定値を示唆するものがあった（たとえば、特許文献１参照）。
【先行技術文献】
【特許文献】
【０００４】
【特許文献１】特開２０１７−１８４７９４号公報
【発明の概要】
【発明が解決しようとする課題】
【０００５】
しかしながら、従来の遊技機では、示唆される設定値が設定示唆演出の種類に応じて異なるものの、設定示唆演出により示唆される設定値は常に同じであった。このため、設定示唆演出により、例えば遊技の進行に起伏を持たせることなどができず、その結果、遊技の興趣を向上させることができていない虞があった。
【０００６】
本発明は、上記課題に鑑みてなされたものであり、設定示唆演出により遊技の興趣を向上させることができる遊技機を提供することを目的とする。
【課題を解決するための手段】
【０００７】
本発明のある局面に従う遊技機は、可変表示可能な表示手段を備え、可変表示が停止したときの表示結果に応じて特典を付与可能な遊技機において、有利度が異なる複数の設定値のうちいずれかの設定値を設定する設定手段と、前記設定値に関する情報を示唆する複数種類の示唆演出のうちのいずれかを実行する示唆演出実行手段と、特定条件が成立することにより特定期間に制御する特定期間制御手段と、前記特定期間に制御されているときに当該特定期間中である旨を報知する報知手段とを備え、前記複数種類の示唆演出のうち所定条件が成立することにより所定タイミングにおいて実行され得る特定示唆演出については、当該所定条件が前記特定期間以外の期間において成立したときよりも前記特定期間において成立したときの方が遊技者にとって有利な情報を示唆する。
【０００８】
この構成によると、特定示唆演出の所定条件が成立したタイミングが、特定期間であるか特定期間以外の期間であるかに応じて特定示唆演出により示唆される情報を異ならせることができ、特定期間であるときには特定期間以外の期間であるときよりも有利な情報が示唆される。このため、特定期間に制御されること、および、特定示唆演出が実行されることに対する期待感を抱かせることができる。その結果、示唆演出により遊技の興趣を向上させることができる。
【０００９】
好ましくは、特別役と所定役とを含む複数の役のうちのいずれの役に当選したか否かを決定する役抽選を行う役抽選手段と、前記特別役に対応する特別表示結果が停止されることにより遊技者にとって有利な特別状態に制御する特別状態制御手段とを備え、前記役抽選において前記所定役に当選する所定結果は、前記特別役とともに当選する第１所定結果と、前記特別役には当選していない第２所定結果とを含み、前記特定条件は、前記特定期間以外の期間における前記役抽選の結果が前記所定結果のうちの前記第２所定結果となることにより成立可能である。
【００１０】
この構成によると、所定役に当選したものの特別役には当選していなかったときに、特定期間への制御契機となる特定条件が成立可能となる。これにより、所定役が特別役とともに当選しなかったときの残念感を、特定期間に制御されることに対する期待感を抱かせることにより補填でき、遊技の興趣を向上させることができる。
【００１１】
好ましくは、前記示唆演出実行手段は、前記所定条件が前記特定期間以外の期間において成立したときには前記複数の設定値のうち第１設定値および当該第１設定値よりも前記有利度が低い第２設定値のいずれかが設定されていることに応じて前記特定示唆演出を実行する一方、前記所定条件が前記特定期間において成立したときには前記第２設定値が設定されているときであっても前記特定示唆演出を実行せずに前記第１設定値が設定されていることに応じて前記特定示唆演出を実行する。
【００１２】
この構成によると、所定条件が特定期間以外の期間において成立して実行される特定示唆演出によれば第１設定値および第１設定値よりも有利度が低い第２設定値のいずれかが設定されていることを示唆する一方、所定条件が特定期間において成立して実行される特定示唆演出によれば第２設定値については示唆せずに当該第２設定値よりも有利度が高い第１設定値が設定されていることを示唆することができる。その結果、特定期間中において特定示唆演出が実行されることに対する期待感を向上させることができる。
【００１３】
好ましくは、前記示唆演出実行手段は、前記複数の設定値のうち第１設定値および当該第１設定値よりも前記有利度が低い第２設定値のいずれかが設定されているときであって、前記所定条件が成立することにより設定されている設定値に応じた割合にしたがって前記特定示唆演出を実行し、前記第２設定値が設定されているときに前記特定示唆演出が実行される割合は、前記所定条件が成立したタイミングが前記特定期間以外の期間であるときよりも前記特定期間であるときの方が低い。
【００１４】
この構成によると、特定示唆演出によれば第１設定値および第１設定値よりも有利度が低い第２設定値のいずれかが設定されていることを示唆することができ、所定条件が特定期間において成立して実行される特定示唆演出によれば所定条件が特定期間以外の期間において成立して実行される特定示唆演出よりも第１設定値が設定されている割合を高めることができる。その結果、特定期間中において特定示唆演出が実行されることに対する期待感を向上させることができる。
【００１５】
好ましくは、前記特定示唆演出は、前記複数の設定値のうち所定の設定値を含む第１範囲に属する設定値を示唆する第１種類の特定示唆演出と、前記複数の設定値のうち前記所定の設定値とは異なる特定の設定値を含む第２範囲に属する設定値を示唆する第２種類の特定示唆演出とを含む。
【００１６】
この構成によると、特定示唆演出のバリエーションを豊富にすることができ、示唆演出により遊技の興趣を向上させることができる。
【００１７】
好ましくは、前記特定条件は、予め定められた期間が経過する間に亘り、遊技者にとって有利な状態または前記特定期間に制御されていないことにより成立可能である。
【００１８】
この構成によると、有利な状態または特定期間に予め定められた期間が経過する間に亘って制御されないときであっても、特定期間に制御されて特定示唆演出が実行されることに対する期待感を抱かせることができ、遊技の興趣を向上させることができる。
【図面の簡単な説明】
【００１９】
【図１】スロットマシンの正面図である。
【図２】スロットマシンの前面扉を開放した状態の斜視図である。
【図３】リールの展開図である。
【図４】スロットマシンの電気的構成を示すブロック図である。
【図５】遊技制御処理を説明するための図である。
【図６】役名称および図柄組合せ等について説明するための図である。
【図７】当選役グループおよび役構成等について説明するための図である。
【図８】遊技状態の遷移について説明するための図である。
【図９】第１演出関連処理を説明するためのフローチャートである。
【図１０】有利示唆期間抽選用テーブルを説明するための図である。
【図１１】設定示唆演出抽選用テーブルを説明するための図である。
【図１２】第２演出関連処理を説明するためのフローチャートである。
【図１３】選択用データ決定用テーブルを説明するための図である。
【図１４】選択用データを説明するための図である。
【図１５】抽選用テーブルを説明するための図である。
【発明を実施するための形態】
【００２０】
以下に、図面を参照しつつ、本発明の実施形態について説明する。本発明に係る遊技機の具体例として、メダルを遊技媒体として用いて遊技を実行可能なスロットマシンを挙げて説明する。しかし、遊技機は、このようなスロットマシンに限定されず、遊技球を遊技媒体として用いて遊技を実行可能な遊技機や、遊技媒体（メダルなど有体物の価値）を用いるものではなく内部的に付与される得点（電磁的方法により記録された情報など無体物の価値）を用いて遊技を実行可能な遊技機などの他の遊技機であってもよい。
【００２１】
＜スロットマシンの構成例＞
図１および図２を参照してスロットマシンの全体構成を説明する。図１は、スロットマシンの正面図である。図２は、スロットマシンの前面扉が開放された状態を示す斜視図である。
【００２２】
スロットマシン１は、前面に開口を有する箱状の筐体３と、筐体３の一辺において開閉自在に取り付けられた前面扉５とを含む部材から構成される。筐体３の前面は、前面扉５が筐体３に対して閉じられることにより閉塞される。前面扉５は、遊技場の管理者が管理する扉用鍵により筐体３に対して施錠・解除が可能となる。前面扉５が筐体３に対して閉じられた状態であるか否かは、扉センサ２０により検出される。
【００２３】
図１に示すように、前面扉５の中央部分には、表示窓７が設けられている。表示窓７からは、複数種類の図柄が配列されているリール１１Ｌ、１１Ｍ、１１Ｒ（以下、まとめてリール１１Ｌ〜１１Ｒともいう）を視認できる。リール１１Ｌ〜１１Ｒが回転すると、表示窓７からは、リール１１Ｌ〜１１Ｒ各々に配列されている図柄が可変表示している状態を視認できる。このように、表示窓７およびリール１１Ｌ〜１１Ｒにより、複数の図柄を可変表示する可変表示部１３が形成される。
【００２４】
可変表示部１３は、複数の可変表示列１０を備えている。具体的に、可変表示部１３は、表示窓７のうちリール１１Ｌの前方に相当する部分とリール１１Ｌとから構成される左可変表示列１０Ｌ、表示窓７のうちリール１１Ｍの前方に相当する部分とリール１１Ｍとから構成される中可変表示列１０Ｍ、および、表示窓７のうちリール１１Ｒの前方に相当する部分とリール１１Ｒとから構成される右可変表示列１０Ｒを備えている。リール１１Ｌ〜１１Ｒが停止している状態において、左可変表示列１０Ｌ、中可変表示列１０Ｍ、および右可変表示列１０Ｒ各々は、上段・中段・下段に図柄を停止表示できる。このため、表示窓７からは、９つの図柄を視認できる。
【００２５】
本実施形態では、役の入賞判定対象となる入賞ラインとして、左可変表示列１０Ｌの下段、中可変表示列１０Ｍの下段、右可変表示列１０Ｒの下段により構成されるいわゆる下段ラインが設定されている。表示窓７には、入賞ラインＮＬが描かれている。
【００２６】
前面扉５の表示窓７の上方には、液晶表示器２７が設けられている。液晶表示器２７は、遊技（ゲーム）の進行に応じて、所定の画像を表示することにより演出を実行する。また、前面扉５の液晶表示器２７の上方には、予め定められた役の図柄組合せや払出枚数等が刷られた説明パネル２９が設けられ、さらに、説明パネル２９の上方および左右各々には、ランプ部３３Ｌ、３３Ｍ、３３Ｒが設けられている。ランプ部３３Ｌ、３３Ｍ、３３Ｒは、ＬＥＤなどの光源を備え、遊技の進行に応じて発光することにより演出を実行する。
【００２７】
前面扉５の表示窓７の左側には、クレジット表示器４５と、ペイアウト表示器４６と、報知用表示器６０とが配設されている。クレジット表示器４５は、遊技者所有のメダルのうち、スロットマシン１内において貯留（記憶）されているメダルの枚数であるクレジットを表示する。クレジットの上限枚数は５０に設定されている。
【００２８】
ペイアウト表示器４６は、役の入賞が発生したときにメダル（遊技媒体）の払出枚数を表示するとともに、エラー情報や設定示唆情報など各種情報の表示にも兼用される表示器である。設定示唆情報とは、設定値に関する情報を示唆するための表示情報をいう。報知用表示器６０は、遊技者にとって有利となる操作態様（例えば、操作タイミング、押し順など。以下、有利操作態様ともいう）や役抽選の結果などを特定するための所定情報を報知する表示器である。
【００２９】
クレジット表示器４５、ペイアウト表示器４６、および報知用表示器６０は、各々、例えば７セグメントＬＥＤにより構成され、各セグメントの点灯態様に応じて情報を報知する。
【００３０】
前面扉５の表示窓７の下方には、各種の操作部が設けられている。操作部としては、ベットスイッチ１５、最大ベットスイッチ１７、演出操作部８１、スタートスイッチ１９、精算スイッチ２３、ストップスイッチ２１Ｌ、２１Ｍ、２１Ｒ（以下、まとめてストップスイッチ２１Ｌ〜２１Ｒともいう）、および、メダル投入口２５が設けられている。
【００３１】
ベットスイッチ１５は、クレジットを用いて１枚分のメダルを賭数設定するための操作を検出するスイッチである。最大ベットスイッチ１７は、クレジットを用いて最大賭け枚数分のメダルを賭数設定するための操作を検出するスイッチである。最大賭け枚数とは、１回の遊技（以下、１遊技ともいう）について賭数設定できる最大の枚数（本実施形態では、「ボーナス状態中」以外は「３」、「ボーナス状態中」は「２」に設定。）をいう。
【００３２】
演出操作部８１は、演出に関わる操作を検出するスイッチである。演出に関わる操作には、演出を実行・発展させるための操作、演出モードやキャラクタ等を選択するための操作、および遊技履歴等を表示させる遊技者メニュー状態や設定履歴等を表示させる管理者メニュー状態へ移行させるための操作等を含む。
【００３３】
スタートスイッチ１９は、リール１１Ｌ〜１１Ｒ各々を回転させて図柄の可変表示を開始させるための操作を検出するスイッチである。精算スイッチ２３は、クレジットあるいは設定済の賭数に相当する枚数分のメダルを払い出させるための操作を検出するスイッチである。ストップスイッチ２１Ｌ〜２１Ｒは、各々、リール１１Ｌ〜１１Ｒのうちの対応するリールの回転を停止させて図柄の可変表示を停止させるための操作を検出するスイッチである。メダル投入口２５は、遊技者がメダルを投入するための開口である。
【００３４】
前面扉５における各種の操作部の下方には、キャラクタなどが刷られた下部パネル３５が設けられている。また、下部パネル３５の左右には、それぞれ下部ランプ部３７Ｌ、３７Ｒが設けられている。下部ランプ部３７Ｌ、３７Ｒは、例えばＬＥＤなどの光源を備え、遊技の進行に応じて発光することにより演出を実行する。
【００３５】
また、下部パネル３５の下方には、役入賞の発生等に応じてメダルを払い出すためのメダル払出口３９、および、メダル払出口３９から払い出されるメダルを受けるメダル受け４１が設けられている。メダル払出口３９の左右には、各々、遊技の進行に応じて効果音や音声などを出力することによる演出を行うためのスピーカ３１Ｌ、３１Ｒが設けられている。
【００３６】
次に、スロットマシン１の筐体３の内部構成について説明する。図２に示すように、スロットマシン１の筐体３内の中央には、リール１１Ｌ〜１１Ｒを横並びに収容するためのリールユニット９が設けられている。リールユニット９は、筐体３内の後壁に固定されている。リールユニット９は、リールモータ１４Ｌ、１４Ｍ、１４Ｒ（図４参照。以下、リールモータ１４Ｌ〜１４Ｒともいう。）と、位置センサ５５Ｌ、５５Ｍ、５５Ｒ（図４参照。以下、位置センサ５５Ｌ〜５５Ｒともいう）とを備えている。
【００３７】
リールモータ１４Ｌ〜１４Ｒは、各々、リールユニット９のフレームに対して横並びに固定されており、その回転軸にリール１１Ｌ〜１１Ｒのうちの対応するリールが固定されている。これにより、リールモータ１４Ｌ〜１４Ｒが駆動制御されることにより回転・停止する。リールモータ１４Ｌ〜１４Ｒは、例えばステッピングモータにより構成されている。
【００３８】
位置センサ５５Ｌ〜５５Ｒは、各々、リール１１Ｌ〜１１Ｒに設けられた突起部がリール回転に伴って所定位置を通過したことを検出するためのセンサである。位置センサ５５Ｌ〜５５Ｒは、例えばフォトインタラプタにより構成されている。位置センサ５５Ｌ〜５５Ｒは、各々対応するリールの突起部を検出したときに、そのリールの所定位置の図柄（例えば、図３の図柄番号１９番の図柄）が表示窓７の中段に位置するように構成されている。
【００３９】
リールユニット９の上方には、メイン制御基板６３およびサブ制御基板７３が各々基板ケースに収納された状態で設置されている。基板ケースは、収納されている制御基板などに対して仮に不正が行われた場合、その痕跡を容易に判別可能にするために、たとえば一部の部材を破壊等しなければ制御基板に接触できない構造を有している。また、メイン制御基板６３とサブ制御基板７３とは、基板間を接続する信号線により電気的に接続されている。
【００４０】
リールユニット９の下方には、ホッパーユニット４３が設けられている。ホッパーユニット４３は、ホッパー容器４２と、満タンセンサ５８（図４参照）と、ホッパーモータ５７（図４参照）と、払出センサ５４（図４参照）とを備えている。
【００４１】
ホッパー容器４２は、メダル投入口２５から受け入れられたメダルを貯留するための容器である。満タンセンサ５８は、ホッパー容器４２の所定位置に設けられ、ホッパー容器４２に貯留されたメダルが所定量に達した満タン状態であることを検出するセンサである。
【００４２】
ホッパーモータ５７は、所定の払出条件が成立したときに駆動し、ホッパー容器４２に貯留されたメダルを所定枚数排出するために駆動するモータである。ホッパーモータ５７は、たとえばＤＣモータ（Direct Current Motor）により構成されている。払出センサ５４は、ホッパーモータ５７によりホッパー容器４２から排出されるメダルを１枚ずつ検出するセンサである。払出センサ５４により検出されたメダルは、前面扉５の裏面側の下方に設けられたメダルシュート４７を介して、メダル払出口３９から払い出される。
【００４３】
ホッパーユニット４３の左側方には、スロットマシン１が備える各種装置に電力を供給するための電源ユニット４９が配設されている。電源ユニット４９には、電源スイッチ５０、リセットスイッチ５２、および、変更処理開始スイッチ５６が配設されている。
【００４４】
電源スイッチ５０は、スロットマシン１への電力供給の有無を切り換えるスイッチである。リセットスイッチ５２は、設定値を変更可能な設定変更処理中において設定値の切り換え操作を検出するためのスイッチである。リセットスイッチ５２は、エラーが発生した際のエラー解除するためのスイッチとしても用いられる。変更処理開始スイッチ５６は、設定変更処理用のキーシリンダからなり、設定変更処理に移行させるための操作を検出するスイッチである。変更処理開始スイッチ５６を含む筐体３の内部に設けられているスイッチは、前面扉５を開放しているときに操作可能となるスイッチである。このため、基本的には、遊技場の管理者のみが操作可能となる。
【００４５】
設定値は、遊技者にとっての有利度合いを特定するための値である。具体的に、設定値は、役抽選において予め定められている役に当選する当選確率を特定するための値である。役抽選においては、設定されている設定値に応じた当選確率を用いることにより役に当選する確率を異ならせることができる。つまり、設定されている設定値が異なるときには、同じ役であっても、役抽選において当選する当選確率が異なる場合が生じる。その結果、設定されている設定値に応じて、遊技を所定回数実行する間に払出されるメダルの枚数が異なり、その結果、払出率を異ならせることができる。このため、設定値は、遊技者にとっての有利度合いを特定するための値であるとともに、払出率を特定するための値であるともいえる。設定値としては、例えば、当選確率が異なる１〜６（本実施形態においては、設定値１〜６の６段階）が設けられており、設定値１が最も低い払出率であり、設定値６が最も高い払出率となっている。なお、設定値は、１〜６の６段階に設けられているものに限らず、例えば、１〜４の４段階に設けられているものなどであってもよい。設定値の変更は、遊技場の管理者が管理する設定変更用鍵により変更処理開始スイッチ５６をＯＮにした状態で電源を投入することにより設定変更処理に移行させることにより可能となる。
【００４６】
設定値は、設定変更処理中にリセットスイッチ５２を操作することにより順次切替える（例えば…５→６→１→２→５…）ことができる。設定変更処理中は、ペイアウト表示器４６に設定値が表示される。設定変更処理では、スタートスイッチ１９への操作が検出された後、変更処理開始スイッチ５６をＯＦＦにすることにより、そのときに表示されていた設定値をＲＡＭ６５に記憶する。これにより、設定値の変更が完了し、以降の遊技においては、記憶された設定値に基づき後述する役抽選等が行われる。なお、設定変更処理が行われたときには、スロットマシン１のＲＡＭ６５が初期化される。
【００４７】
前面扉５の裏面側には、メダル投入口２５の裏側に相当する位置にメダルセレクタ４８が配設されている。メダルセレクタ４８は、メダル投入口２５に投入されたメダルが正規のものであるか否かを物理的に選別し、正規のメダルについてはホッパー容器４２に貯留させるための第１流路４０側に誘導する一方、非正規のメダルについては外部へ排出させるための第２流路４４側に誘導する構造を有する。
【００４８】
また、メダルセレクタ４８は、切替ソレノイド５１（図４参照）と、投入センサ５３（図４参照）とを備えている。切替ソレノイド５１は、遊技状況（例えばリール回転中、クレジット上限到達時等）に応じて投入されたメダルを強制的に第２流路４４側に切替えるためのソレノイドである。投入センサ５３は、メダル投入口２５から投入されたメダルのうち第１流路４０側に誘導されたメダルを１枚ずつ検出するセンサである。投入センサ５３により検出されたメダルは、前面扉５が閉じられた状態においてホッパー容器４２に貯留される。これに対し、第２流路４４側に誘導されたメダルは、メダルシュート４７を介してメダル払出口３９から排出される。
【００４９】
次に、図３を参照して、リール１１Ｌ〜１１Ｒ各々の図柄配列の構成について説明する。リール１１Ｌ〜１１Ｒには、各々、図３に示すとおり複数種類の図柄が所定の順序で配列されている。図３では、説明の便宜上、複数種類の図柄を「Ｒ７」「Ｇ７」「ＢＲ」「Ｃ１」「Ｃ２」「ＢＥ」「ＲＰ」「ＭＤ」「Ｔ１」「Ｔ２」などといった文字列で示しているが、実際にはこれら文字列に対応する絵柄が配列されている。例えば、「Ｒ７」として赤色の「７」の絵柄、「Ｇ７」として緑色の「７」の絵柄、「ＢＲ」として「ＢＡＲ」の絵柄、「ＢＥ」として「ベル」の絵柄、「ＲＰ」として「リプレイ」の絵柄などが配列されている。複数種類の図柄は、他の図柄と識別可能な態様であれば絵柄に限るものではなく、模様や、記号、数字など、どのようなものであってもよい。なお、「Ｃ１」および「Ｃ２」は、外観が類似する絵柄により構成されているため、これらをまとめて「Ｃ」ともいう。同様に、「Ｔ１」および「Ｔ２」も外観が類似する絵柄により構成されているため、これらをまとめて「Ｔ」ともいう。
【００５０】
図３においては、その左端に、リール１１Ｌ〜１１Ｒ各々に図柄が配置されている図柄配置領域に対応させて図柄番号０〜１９を示している。図柄番号０〜１９は、本実施形態のリール１１Ｌ〜１１Ｒ各々において、どの図柄配置領域の図柄であるかを特定するための番号である。
【００５１】
本実施形態の場合、例えば、図柄番号０〜１９までの図柄が印刷されたリールテープがリール１１Ｌ〜１１Ｒ各々の周面に貼り付けられている。このため、リール１１Ｌ〜１１Ｒが回転すると、図柄番号…１９→１８→１７→…２→１→０→１９→１８…といったように、予め定められた順に複数の図柄を表示窓７において可変表示させることができる。
【００５２】
以上のような構成を備えるスロットマシン１は、まずメダル投入口２５へのメダル投入あるいはベットスイッチ１５等が操作されて１ゲームの開始に必要な規定数（本実施形態では、「ボーナス状態中」以外は「３」、「ボーナス状態中」は「２」に設定）分のメダルが賭数設定されることにより回転開始可能な状態になり、スタートスイッチ１９が操作されることにより、リール１１Ｌ〜１１Ｒを回転させて図柄を可変表示して１遊技を開始する。本実施形態においては、「ボーナス状態」以外の遊技状態の規定数として「３」が設定され、「ボーナス状態」の規定数として「２」が設定されている。なお、規定数は、これに限らず、他の値であってもよく、また、遊技状態にかかわらず同じ値が設定されるものであってもよい。
【００５３】
１遊技が開始された後においては、リール回転中においてストップスイッチ２１Ｌ〜２１Ｒが操作されることにより対応するリールの回転を停止させ、リール１１Ｌ〜１１Ｒすべての回転が停止することにより１遊技を終了する。スロットマシン１は、リール１１Ｌ〜１１Ｒすべての回転が停止したときの図柄組合せなど（表示結果）に応じて遊技者に対して所定の特典を新たに付与する。所定の特典としては、例えば、遊技状態の移行、メダル等を新たに用いることなく次回遊技の賭数を自動設定、遊技価値の付与である所定枚数のメダル払出（あるいはクレジット加算）等が挙げられるが、これらに限るものではない。
【００５４】
次に、図４を参照して、スロットマシン１の電気的な構成について説明する。図４に示すとおり、スロットマシン１には、メイン制御基板６３、サブ制御基板７３、電源ユニット４９、および、外部出力基板９０などが設けられている。
【００５５】
メイン制御基板６３は、遊技の進行に関する制御を行うメインＣＰＵ６１が実装された基板である。サブ制御基板７３は、遊技の進行に応じた演出の制御を行うサブＣＰＵ７１が実装された基板である。電源ユニット４９は、外部から供給される電力を用いて、スロットマシン１に搭載された各種電気部品を駆動するための電源を生成する。外部出力基板９０は、遊技の進行に応じた信号をスロットマシン１の外部（例えば、ホールコンピュータ、台毎データ表示器等）に出力する基板である。
【００５６】
メインＣＰＵ６１は、遊技の進行を制御するための遊技制御プログラムを記憶するＲＯＭ６７と、遊技に関するデータなどを一時的に記憶するＲＡＭ６５とを備え、ＲＯＭ６７に格納された遊技制御プログラムを実行することにより実現される種々の機能や、ハードウェアが制御されることにより実現される種々の機能を有している。
【００５７】
メインＣＰＵ６１は、タイマ割込などの割込機能を有し、ＲＯＭ６７に記憶されている遊技制御プログラムを実行し、メイン制御基板６３に接続されたスイッチ（操作手段）やセンサ（検出手段）からの信号に基づいて遊技の進行に関する処理を行う。また、メインＣＰＵ６１は、スロットマシン１においてエラーが発生しているか否かを判定する。エラーには、例えば、投入センサ５３により所定時間以上検知されているセレクターエラー、満タンセンサ５８によりホッパー容器４２が満タンであることが検知されている満タンエラー、ホッパーモータ５７を駆動しているにもかかわらず払出センサ５４により所定時間以上検知されていないメダル切れエラーなどを含む。
【００５８】
メイン制御基板６３に接続されたスイッチやセンサには、図４に示される、投入センサ５３、ベットスイッチ１５、最大ベットスイッチ１７、スタートスイッチ１９、扉センサ２０、ストップスイッチ２１Ｌ〜２１Ｒ、精算スイッチ２３、リセットスイッチ５２、変更処理開始スイッチ５６、位置センサ５５Ｌ〜５５Ｒ、払出センサ５４、満タンセンサ５８などが含まれる。
【００５９】
また、メインＣＰＵ６１は、遊技の進行に関する処理を行って、メイン制御基板６３に接続された機器類を駆動制御する。メイン制御基板６３に接続された機器類には、図４に示される、切替ソレノイド５１、クレジット表示器４５、ペイアウト表示器４６、報知用表示器６０、リールモータ１４Ｌ〜１４Ｒ、ホッパーモータ５７、および、各種ＬＥＤなどが含まれる。また、メイン制御基板６３には、７セグメントＬＥＤからなる表示器が搭載されている。メイン制御基板６３には、総払出枚数に対するボーナスでの払出枚数の役物比率などを表示する表示器が搭載されている。なお、役物比率などは、メイン制御基板６３に搭載されている表示器に表示するものに限らず、別個に設けられた表示器（例えば、ペイアウト表示器４６等）に表示するものであってもよい。この場合、メインＣＰＵ６１は、例えばリセットスイッチ５２が操作されたときに、役物比率などを表示器に表示するようにしてもよい。
【００６０】
メイン制御基板６３は、遊技の進行に応じて、サブ制御基板７３に対して各種のコマンドを送信する。サブ制御基板７３は、メイン制御基板６３からのコマンドに基づいて演出の制御を行う。一方、サブ制御基板７３からメイン制御基板６３に対しては、コマンドを送ることはできない。コマンドは、メイン制御基板６３からサブ制御基板７３に対して一方向にのみ送信される。
【００６１】
サブ制御基板７３に搭載されているサブＣＰＵ７１は、演出を制御するための演出制御プログラムを記憶するＲＯＭ７７と、演出に関するデータなどを一時的に記憶するＲＡＭ７５とを備え、ＲＯＭ７７に格納された演出制御プログラムを実行することにより実現される種々の機能や、ハードウェアが制御されることにより実現される種々の機能を有している。
【００６２】
サブＣＰＵ７１は、タイマ割込などの割込機能を有し、メイン制御基板６３からのコマンドに基づいて、ＲＯＭ７７に記憶されている演出制御プログラムを実行し、遊技の進行に応じた演出内容の決定等を行い、その結果に基づいてサブ制御基板７３に接続された機器類を駆動制御して演出を行う。サブ制御基板７３に接続された機器類には、図４に示される、スピーカ３１Ｌ、３１Ｒ、液晶表示器２７、各種ランプ・ＬＥＤ、および演出操作部８１などが含まれる。液晶表示器２７は、表示領域に画像を表示させるための表示処理を実行する表示制御部を含む。表示制御部は、サブ制御基板７３からの表示制御用のコマンドに基づいて表示処理を実行して、液晶表示器２７の表示領域に所定の画像を表示する。また、表示制御部は、表示内容に応じてコマンドをサブ制御基板７３に送信することも可能である。サブ制御基板７３は、表示制御部からのコマンドに基づいて、スピーカ３１Ｌ、３１Ｒおよび各種ランプ・ＬＥＤ等に対応するコマンドを送信することにより、表示領域に表示する画像に対応する音や光による演出を実行させる。サブＣＰＵ７１により制御される各種ランプ・ＬＥＤには、各種スイッチに対応する操作部の内部に搭載されているＬＥＤを含む。サブＣＰＵ７１は、エコモードであるか否かに応じて、制御されているモードに対応する消費電力となるように当該ＬＥＤ等を制御することより、操作部を光らせることができる。
【００６３】
演出操作部８１には、決定用の決定スイッチ８１ａと、選択用の左選択スイッチ８１ｂ、右選択スイッチ８１ｃ、上選択スイッチ８１ｄ、および下選択スイッチ８１ｅ（これらをまとめて上下左右スイッチともいう）とが設けられている。サブＣＰＵ７１は、予め定められた演出を実行させるときや発展させる際に決定スイッチ８１ａへの操作を促す促進演出を実行し、決定スイッチ８１ａが操作されることにより予め定められた演出を実行あるいは発展させる制御を行う。また、サブＣＰＵ７１は、液晶表示器２７などにより実行する演出（キャラクタや背景）の種類が異なる複数種類の演出モードのうちからいずれかを設定できる演出モード選択可能状態（演出モード選択画面表示中）において、上下左右スイッチが操作されることによりいずれかの演出モードを選択し、決定スイッチ８１ａが操作されることにより選択されている演出モードを設定する。
【００６４】
さらに、サブＣＰＵ７１は、変更処理開始スイッチ５６が操作されて設定変更処理に移行されているときに決定スイッチ８１ａが操作されることにより管理者メニュー状態に移行させて、管理者メニュー画面を液晶表示器２７において表示可能にする。管理者メニュー画面では、「日時設定」、「設定変更履歴」の表示、「携帯連動サービスＯＮ／ＯＦＦ設定」、および「エコモードの設定」などを行うことができる。エコモードとは、サブ制御基板７３に接続された機器類による演出実行により消費される電力を通常時よりも節約するモードをいう。エコモードが設定されているときには、通常時よりも、例えば、液晶表示器２７、各種ランプ・ＬＥＤの輝度を低くする制御や、駆動時間あるいは点灯時間を短くする制御、スピーカ３１Ｌ、３１Ｒから出力される音量を低くする制御などが行われる。
【００６５】
また、サブＣＰＵ７１は、リール１１Ｌ〜１１Ｒのいずれも回転しておらず、かつ遊技の進行に応じて発生する特定の演出（例えば、複数遊技にわたって連続する連続演出、特定のボタンへの操作を促すチャンスボタン演出など）が実行されていないときであって、いずれの操作も検出されることなく所定時間が経過している状態（以下では、待機状態、あるいは遊技待機中ともいう）において決定スイッチ８１ａが操作されることにより遊技者メニュー状態に移行させて、遊技者メニュー画面を液晶表示器２７において表示可能にする。待機状態においては、決定スイッチ８１ａへの操作を促して遊技者メニュー状態に誘導するための誘導演出（促進演出に含まれる）を実行する。誘導演出中に決定スイッチ８１ａが操作されることにより、遊技者メニュー状態に移行させて遊技者メニュー画面が表示される。
【００６６】
また、遊技者メニュー画面においては、演出操作部８１への操作に応じて、例えば、入賞の発生回数や発生確率などの役履歴の確認や、遊技者の遊技履歴を蓄積するための携帯連動サービス（以下では、携帯連動ともいう）の設定、スピーカ３１Ｌ、３１Ｒから出力される音量設定、液晶表示器２７の輝度調整などを行うことができる。なお、エコモードの設定は、管理者メニュー状態において設定可能となる例について説明するが、これに限らず、遊技者メニュー状態において設定可能となるものであってもよい。
【００６７】
サブＣＰＵ７１は、管理者メニュー状態および遊技者メニュー状態において上下左右スイッチが操作されることにより表示する項目や対象を選択し、決定スイッチ８１ａが操作されることにより選択されている項目や対象に応じた処理を実行する。なお、サブＣＰＵ７１は、特定の演出を実行しているときであっても、決定スイッチ８１ａが操作されることにより遊技者メニュー状態に移行させるようにしてもよい。この場合、サブＣＰＵ７１は、特定のレイヤに特定の演出の画像を描き、決定スイッチ８１ａが操作されることにより、特定のレイヤよりも優先度が高いレイヤにおいて、遊技者メニュー状態における遊技者メニュー画面の画像を描くことにより、遊技者メニュー画面を優先して表示するようにしてもよい。なお、遊技者メニュー画面表示中においては、特定のレイヤにおける特定の演出を継続して実行するものであってもよく、また特定のレイヤにおける特定の演出を一旦終了するものであってもよい。
【００６８】
また、遊技者メニュー画面表示中に特定のレイヤで特定の演出を継続して実行する場合であって、当該演出が特定のボタンへの操作を促すチャンスボタン演出を伴わない連続演出であるときには、決定スイッチ８１ａの操作で遊技者メニュー画面を表示可能にする一方、当該演出が特定のボタンへの操作を促すチャンスボタン演出であるときには、決定スイッチ８１ａが操作されたとしても遊技者メニュー画面を表示しないようにしてもよい。このようにすることで、遊技者メニュー画面表示中における決定スイッチ８１ａの操作によって、意図せずにチャンスボタン演出を次の段階に発展させてしまうことを未然に防止できる。また、遊技者メニュー画面を表示させるためのスイッチと、チャンスボタン演出を発展させるためのスイッチとは、同じスイッチであってもよく、物理的に異なるスイッチであってもよい。なお、遊技者メニュー画面を表示させるためのスイッチと、チャンスボタン演出を発展させるためのスイッチとが異なるスイッチであっても、遊技者メニュー画面表示中においてチャンスボタン演出を発展させるためのスイッチを操作してしまい意図せずに演出を発展させてしまうことを防止できる。
【００６９】
＜遊技制御処理＞
メインＣＰＵ６１は、ＲＯＭ６７に記憶されている遊技制御プログラムに基づいて、遊技の進行を制御するための遊技制御処理を行う。図５は、遊技制御処理の一例を説明するための図である。
【００７０】
（賭数設定処理）
Ｓ１００の賭数設定処理では、投入センサ５３からの検出信号、ベットスイッチ１５あるいは最大ベットスイッチ１７からの操作信号、および再遊技役の入賞時に設定される再遊技フラグなどに応じて、賭数を設定するための処理が行われる。賭数設定処理では、賭数が設定されたときに賭数設定コマンドを出力する。設定された賭数が規定数に達しているときには、スタートスイッチ１９への操作を有効に受け付ける回転開始可能な状態（有効化）にする。
【００７１】
また、賭数設定処理では、精算スイッチ２３からの操作信号に基づいて、ホッパーモータ５７を駆動させる駆動信号を出力して、クレジット分あるいは設定済の賭数分に相当する枚数のメダルを払い出すための精算処理が行われる。賭数設定処理は、回転開始可能な状態においてスタートスイッチ１９からの操作信号を受信することにより終了し、Ｓ２００の内部抽選処理へ移行する。賭数設定処理では、スタートスイッチ１９からの操作信号を受信して内部抽選処理へ移行する際に、実際に設定された賭数（メダル枚数）を特定可能なベットコマンドを出力する。これにより、サブ制御基板７３側においても１遊技に対して賭数設定されたメダル枚数を特定可能となる。
【００７２】
（内部抽選処理）
Ｓ２００の内部抽選処理では、所定範囲（例えば０〜６５５３５）で乱数値を更新する乱数回路から役抽選用の乱数値を抽出し、抽出した値（以下、抽出値という）に基づいて予め定められた複数種類の役のいずれかに当選するか否かを抽選する役抽選が行われる。図６を参照して、スロットマシン１において設定されている役の種別および役名称について説明する。
【００７３】
役の種別としては、ボーナス役と、再遊技役と、小役とが設けられている。ボーナス役は、小役の当選確率が高いボーナス状態への移行を伴う移行役である。再遊技役（以下、リプレイともいう）は、入賞したときに前述の再遊技フラグを設定する役である。賭数設定処理では、再遊技フラグが設定されている場合、遊技者所有のメダル（あるいはクレジット）を新たに用いることなく、次に（今から）開始される遊技（今回遊技）の規定数に対応した賭数を次回遊技の賭数として自動設定する役である。小役は、所定枚数のメダルの払い出し（あるいはクレジット加算）を伴う役である。
【００７４】
ボーナス役としては、役名称「ＲＢＢ１」「ＲＢＢ２」（以下、まとめてボーナス役、あるいは「ＲＢＢ」ともいう）が設けられている。「ＲＢＢ１」「ＲＢＢ２」の図柄組合せには、各々、「Ｒ７」の３つ揃い、「Ｇ７」の３つ揃いとなる組合せが定められている。「ＲＢＢ１」および「ＲＢＢ２」に入賞したときには、ボーナス状態に制御される。ボーナス状態は、払出されたメダルの枚数が、入賞したボーナス役に対応するメダル枚数（図６の備考欄に記載の枚数）を超えた遊技で終了する。
【００７５】
再遊技役としては、役名称「ＲＰＣ」が設けられている。「ＲＰＣ」の図柄組合せには、「ＲＰ」の３つ揃いとなる組合せが定められている。小役としては、役名称「ＢＥＬ」、「ＣＨ１」、および「ＣＨ２」が設けられている。「ＢＥＬ」の図柄組合せには、「ＢＥ」の３つ揃いとなる組合せが定められている。「ＣＨ１」および「ＣＨ２」についても、各々、図６に記載のとおりの図柄組合せが定められている。「ＢＥＬ」は、ストップスイッチ２１Ｌ〜２１Ｒ各々に対する操作態様（押し順、操作タイミング）にかかわらず入賞となり、規定数が「３」に設定されている遊技状態（「ボーナス状態」以外）においてはメダルが９枚払い出されるのに対し、規定数が「２」に設定されている「ボーナス状態」においてはメダルが１２枚払い出される。「ＣＨ１」および「ＣＨ２」は、ストップスイッチ２１Ｌ〜２１Ｒへの操作タイミングに応じて入賞可能であり、メダルが１枚払出される。
【００７６】
内部抽選処理では、図６に示す役のうち予め定められた役から構成される複数種類の当選役グループ毎に役抽選が行われる。図７を参照して、本実施形態における当選役グループおよび役構成について説明する。
【００７７】
ボーナス役を含む当選役グループとしては、「ボーナス１」〜「ボーナス６」が設けられている。このうち「ボーナス１」および「ボーナス４」は、それぞれ１つのボーナス役のみから構成される当選役グループである。一方、「ボーナス２」「ボーナス３」「ボーナス５」および「ボーナス６」は、各々、ボーナス役のみならず、他の役と同時に当選する当選役グループである。「ボーナス２」および「ボーナス５」は、ボーナス役とＣＨ１とが同時に当選する当選役グループであり、「ボーナス３」および「ボーナス６」は、ボーナス役とＣＨ２とが同時に当選する当選役グループである。
【００７８】
再遊技役の当選役グループとしては、「通常リプ」が設けられている。「通常リプ」は、「ＲＰＣ」のみから構成される当選役グループである。小役の当選役グループとしては、「ベル」「１枚役Ａ」および「１枚役Ｂ」が設けられている。「ベル」「１枚役Ａ」および「１枚役Ｂ」は、各々、役構成欄に記載の一つの役のみから構成される当選役グループである。なお、再遊技役の当選役グループおよび小役の当選役グループは、各々、複数の役を含み、当該複数の役について同時に当選する当選役グループであってもよい。
【００７９】
これら複数種類の当選役グループのうち役抽選の対象となる当選役グループは、複数種類の遊技状態毎に定められている。また、役抽選における当選確率にかかわる判定値は、当選役グループ、制御されている遊技状態、および設定されている設定値に応じて定められている。
【００８０】
スロットマシン１において制御可能となる遊技状態としては、「一般遊技状態」、「ＲＢＢ」が当選している「ＲＢＢ内部当選状態」、およびボーナス役の入賞に伴う「ＲＢＢ」などが設けられている。
【００８１】
ボーナス役を含む当選役グループである「ボーナス１」〜「ボーナス６」は、一般遊技状態において役抽選の対象となる。ボーナス役を含む当選役グループは、各々、設定値に応じて、当選確率欄に記載の確率となるように判定値が定められている。ボーナス役を含む当選役グループの判定値は、設定値に応じて異なる判定値が定められており、設定値が高くなるに連れて当選確率が高くなる。例えば、「ボーナス２」については、設定値１のときには当選確率が１／７５０となり、設定値６のときには当選確率が１／６５０となるように判定値が定められている。また、「ボーナス３」については、設定値１のときには当選確率が１／３５００となり、設定値６のときには当選確率が１／３４５０となるように判定値が定められている。なお、設定値２〜５各々における当選確率は、設定値１よりも高く、設定値６よりも低く、かつ、設定値が大きくなるにしたがって高くなるように定められている。ボーナス役を含む当選役グループの当選確率は、ボーナス役が「ＣＨ１」と同時に当選する「ボーナス２」「ボーナス５」が最も高く、次にボーナス役が「ＣＨ２」と同時に当選する「ボーナス３」「ボーナス６」が高く、ボーナス役のみに当選する「ボーナス１」「ボーナス４」が最も低くなるように定められている。このため、「ＣＨ１」あるいは「ＣＨ２」に当選・入賞することによりボーナス役に当選していることに対する期待感を抱かせることができるとともに、「ＣＨ１」に当選・入賞することによりその期待感をより一層高めることができる。
【００８２】
次に、再遊技役を含む当選役グループのうち「通常リプ」は、「一般遊技状態」、「ＲＢＢ内部当選状態」において役抽選の対象となり、「一般遊技状態」中の当選確率が１／７となり「ＲＢＢ内部当選状態」中における当選確率が１／３となるように判定値が定められている。
【００８３】
小役を含む当選役グループのうち「ベル」は、「一般遊技状態」、「ＲＢＢ内部当選状態」、および「ＲＢＢ」において役抽選の対象となり、「一般遊技状態」および「ＲＢＢ内部当選状態」中の当選確率が１／８となり、「ＲＢＢ」中における当選確率が１／１となるように判定値が定められている。このため、「ＲＢＢ」は、一般遊技状態などと比較して「ＢＥＬ」に入賞する確率が向上するため、遊技者にとって有利な状態であるといえる。
【００８４】
「１枚役Ａ」および「１枚役Ｂ」は、各々、「一般遊技状態」および「ＲＢＢ内部当選状態」において役抽選の対象となり、「一般遊技状態」中における「１枚役Ａ」の当選確率が１／１００〜１／１１０（設定値６〜設定値１）となるように判定値が定められており、「１枚役Ｂ」の当選確率が１／８０〜１／９０（設定値６〜設定値１）となるように判定値が定められている。このように、「ＣＨ１」および「ＣＨ２」がボーナス役と別個に当選する確率は、「ＣＨ１」よりも「ＣＨ２」の方が高い。このため、「ＣＨ２」に当選・入賞したときよりも、「ＣＨ１」に当選・入賞したときの方が、ボーナス役に当選している割合を高めることができる。なお、「ＲＢＢ内部当選状態」においては、「ボーナス２」「ボーナス３」「ボーナス５」および「ボーナス６」について役抽選の対象とならないため、「１枚役Ａ」の当選確率は、「ボーナス２」と「ボーナス５」の「一般遊技状態」中における判定値が加算された確率となり、「１枚役Ｂ」の当選確率は、「ボーナス３」と「ボーナス６」の「一般遊技状態」中における判定値が加算された確率となる。
【００８５】
内部抽選処理では、現在の遊技状態において役抽選の対象となる当選役グループの判定値（設定されている設定値に応じた判定値）を読み出し、抽出値から減算した値（抽出値を更新）が所定値（例えば０）よりも小さい値になっているか否かを判定する判定処理を行い、小さい値になっていなければ（例えば０以上のとき）次の当選役グループについての判定処理を行うというサイクルを繰り返す。
【００８６】
いずれかの当選役グループについての判定処理において所定値よりも小さい値になっていると判定したときには、この当選役グループに当選していると判定し、当該当選役グループに含まれる役の当選フラグをＲＡＭ６５の所定領域に設定して役抽選を終了する。このため、当選役グループに当選する確率は、「当選役グループの判定値／６５５３６」となる。役抽選において読み出される判定値が大きいほど所定値よりも小さい値になりやすくなるため、当選確率が高い当選役グループであるといえる。一方、役抽選の対象となるすべての当選役グループについて判定処理を行ったが所定値よりも小さい値になっていないと判定されたときには、いずれの当選役グループにも当選していない「はずれ」であると判定する。
【００８７】
内部抽選処理は、いずれかの当選役グループに当選していると判定されるか、いずれの当選役グループにも当選しておらず「はずれ」であると判定されると役抽選を終了して、Ｓ３００のリール制御処理に移行する。
【００８８】
内部抽選処理では、役抽選において当選した当選役グループの種別を特定可能な当選種別コマンドをサブ制御基板７３に出力するための処理を行う。例えば、「ボーナス１」〜「ボーナス６」に当選したときにはいずれかの「ＲＢＢ」に当選していることを特定可能な当選種別コマンドを出力し、「１枚役Ａ」や「１枚役Ｂ」に当選したときにはいずれかの１枚役に当選していることを特定可能な当選種別コマンドを出力する。これにより、サブ制御基板７３側においては、役抽選において当選した当選役グループの種別に応じた演出を実行可能となる。
【００８９】
（リール制御処理）
Ｓ４００のリール制御処理では、リールモータ１４Ｌ〜１４Ｒを駆動制御して、リール１１Ｌ〜リール１１Ｒを回転させて停止させる処理が行われる。リール制御処理では、ウェイトタイムが経過しているか否かを判定する。ウェイトタイムは、例えば４．１秒に定められており、前回遊技のリール制御処理においてリール１１Ｌ〜１１Ｒ各々の回転が開始されてから計測が開始される。
【００９０】
リール制御処理では、ウェイトタイムが経過していると判定されたときに、リール１１Ｌ〜１１Ｒの回転を開始させるリール回転処理が行われる。これにより、前回遊技においてリール１１Ｌ〜１１Ｒ各々の回転が開始されてから少なくとも４．１秒経過するまで今回遊技におけるリール１１Ｌ〜１１Ｒを回転開始させるタイミングを遅延させることができる。リール回転処理においては、リール１１Ｌ〜１１Ｒの回転が開始すると、リール回転開始コマンドを出力する。
【００９１】
リール制御処理では、リール１１Ｌ〜１１Ｒ各々の回転を開始させて一定速度に到達した後（例えば、リールモータ１４Ｌ〜１４Ｒの励磁パターンが一定速度となる励磁パターンとなった後）、リール１１Ｌ〜１１Ｒ各々の基準位置が位置センサ５５Ｌ〜５５Ｒ各々により検出されることにより停止操作可能な状態となり、ストップスイッチ２１Ｌ〜２１Ｒへの操作を有効に受け付ける状態（有効化）になる。
【００９２】
また、リール制御処理では、停止操作可能な状態においてストップスイッチを操作したときに、例えば当該ストップスイッチに対応するリールの入賞ラインＮＬ上に位置する図柄から予め定められた引込み可能範囲内に配列されている図柄のいずれかを入賞ラインＮＬに引き込んで当該リールを停止させるリール停止処理を行う。引込み可能範囲は、４図柄先までの範囲であって、ストップスイッチが操作されたときに入賞ラインＮＬ上にある図柄から４図柄先までに配列されている図柄を入賞ラインＮＬ上に停止可能となる。
【００９３】
役抽選においていずれかの役に当選している場合は、当選している役を構成する図柄を引込み可能範囲内で入賞ライン上に引き込むことができるときに、当該図柄を入賞ライン上に引き込んで停止させる。これに対して、いずれの役にも当選していない場合は、いずれの役にも入賞しないはずれ図柄組合せとなる図柄を入賞ライン上に引き込み停止させる。このため、ストップスイッチへの操作が行われたときに、当選している役を構成する図柄を引込み可能範囲内で入賞ラインＮＬ上に引込み可能であれば当該図柄を引込んで入賞ラインＮＬ上に停止させることができる一方、当選していない役の図柄組合せを入賞ラインＮＬ上に停止させてしまうことがない。
【００９４】
なお、本実施形態は、上述の通り、「役抽選においていずれかの役に当選している場合は、当選している役を構成する図柄を引込み可能範囲内で入賞ライン上に引き込むことができる」ものである。ここで、役抽選は「当選役グループ」毎に行われるものであるため、前記「当選している役」は、詳しくは、当選した「当選役グループ」を構成するいずれかの役に相当するものとなる。
【００９５】
リール停止処理では、引込み可能範囲内の図柄を入賞ラインＮＬ上に停止させることができるものの、引込み可能範囲外の図柄については入賞ラインＮＬ上に停止させることができない。このため、リール１１Ｌ〜１１Ｒの図柄配列において、役を構成する図柄が引込み可能範囲内に存在しない個所が存在する役については、役抽選において当選していても、操作タイミングが合わなければ入賞ラインＮＬ上に当該役を構成する図柄を引き込むことができずに、当該役を取りこぼしてしまう場合（非入賞）が生じる。
【００９６】
「ボーナス役」を構成する図柄は、図３に示すとおり、リールの図柄配列において引込み可能範囲内に存在しない個所が存在する。例えば、「ＲＢＢ１」を構成する図柄「Ｒ７」は、リール１１Ｌ〜１１Ｒに１つしか配列されていない。また、「ＲＢＢ２」を構成する図柄についても、リール１１Ｌ〜１１Ｒに１つしか配列されていない。このため、「ボーナス役」は、当選していてもストップスイッチ２１Ｌ〜２１Ｒの操作タイミングによっては入賞ラインにボーナス役を構成する図柄を引き込むことができない場合があり、取りこぼす可能性がある。よって、図７に示すように、「ボーナス役」のいずれかに当選しているときには、当選しているボーナス役を引込み可能範囲内で引込むリール制御を行うものの、いずれの役にも入賞しない場合が生じる。なお、「ＲＢＢ１」「ＲＢＢ２」については、当選した遊技において入賞させることができなかった場合、ＲＢＢ内部当選状態に制御されて当該ボーナス役に入賞するまで当該ボーナス役の当選フラグを持ち越す処理が行われる。
【００９７】
「通常リプ」に含まれる「ＲＰＣ」を構成する図柄「ＲＰ」は、図３に示すように、リール１１Ｌ〜１１Ｒのすべてにおいて引込み可能範囲内に配列されている。また、「ベル」に含まれる「ＢＥＬ」を構成する図柄「ＢＥ」は、図３に示すように、リール１１Ｌ〜１１Ｒのすべてにおいて引込み可能範囲内に配列されている。その結果、「通常リプ」や「ベル」に当選したときには、ストップスイッチ２１Ｌ〜２１Ｒの操作タイミングにかかわらず、必ず当選している役を入賞させることができる。
【００９８】
これに対し、「１枚役Ａ」に含まれる「ＣＨ１」を構成する図柄（「Ｒ７」「ＭＤ」）は、図３に示すとおり、リールの図柄配列において引込み可能範囲内に存在しない個所が存在する。同様に、「１枚役Ｂ」に含まれる「ＣＨ２」を構成する図柄（「Ｇ７」「Ｔ１」「Ｔ２」）は、リールの図柄配列において引込み可能範囲内に存在しない個所が存在する。このため、「ＣＨ１」および「ＣＨ２」などの「１枚役」は、当選していてもストップスイッチ２１Ｌ〜２１Ｒの操作タイミングによっては入賞ラインに役を構成する図柄を引き込むことができない場合があり、取りこぼす可能性がある。
【００９９】
また、リール停止処理では、複数種類の役に当選しているときには、当選している役の種類（役抽選の結果）およびストップスイッチ２１Ｌ〜２１Ｒの操作タイミングおよび押し順（操作態様）に応じて、優先して引き込む対象が予め定められている。例えば、「ボーナス２」に当選したときや、ボーナス役の当選が持ち越されている状態（ＲＢＢ内部当選状態）において再遊技役や小役に当選したときにおけるリール停止処理では、ボーナス役よりも再遊技役や小役を優先して引き込むように定められている。
【０１００】
リール停止処理においては、リール１１Ｌ〜１１Ｒのいずれかが停止する毎に、停止したリール、および停止位置（例えば、中段に停止されている図柄の図柄番号等）などを特定可能なリール停止コマンドを出力する。これにより、サブ制御基板７３は、停止したリール、および停止位置が特定可能となり、対応する演出を実行可能となる。リール１１Ｌ〜１１Ｒすべてが停止すると、Ｓ４００の出目判定処理に移行する。
【０１０１】
（出目判定処理）
Ｓ４００の出目判定処理では、入賞ラインＮＬ上の図柄組合せに基づいて、当該図柄組合せに対応する処理を実行する。例えば、小役が入賞したときには、図６の備考欄に記載のメダルを払い出すか、あるいはクレジット加算するための払出処理を実行する。払出処理では、メダル払出あるいはクレジット加算により遊技者に付与されたメダル枚数（０枚を含む）を特定可能な払出コマンドを出力する。これにより、サブ制御基板７３側においても１遊技の結果として遊技者に付与されたメダル枚数を特定可能となる。また、再遊技役が入賞したときには、再遊技フラグを設定するための処理を実行する。出目判定処理では、入賞ラインＮＬ上の図柄組合せ、入賞の有無、入賞した役の種類等を特定可能な遊技結果コマンドを出力する。これにより、サブ制御基板７３側においては、入賞ラインＮＬ上の図柄組合せに応じた演出を実行可能となる。また、出目判定処理では、遊技の結果に応じて、役物比率を更新してＲＡＭ６５の所定領域に記憶する。出目判定処理が終了すると、Ｓ５００の遊技状態設定処理に移行する。
【０１０２】
（遊技状態設定処理）
Ｓ５００の遊技状態設定処理では、役抽選あるいは遊技の結果等に基づいて、次回以降の遊技状態を特定可能な遊技状態フラグを設定する。遊技状態フラグは、ＲＡＭ６５の所定領域に記憶される。メインＣＰＵ６１は、遊技状態フラグに基づいて、現在制御されている遊技状態を特定する。図８には、遊技状態の遷移が示されている。
【０１０３】
遊技状態設定処理は、設定変更等により初期化されると「一般遊技状態」を特定可能な遊技状態フラグを設定する。「一般遊技状態」において「ＲＢＢ」に当選した遊技において入賞しなかったときには、「ＲＢＢ内部当選状態」を特定可能な遊技状態フラグを設定する。また、遊技状態設定処理は、「ＲＢＢ」に当選した遊技あるいは当該当選が持ち越されている遊技において「ＲＢＢ」に入賞したときに、「ＲＢＢ」を特定可能な遊技状態フラグを設定する。「ＲＢＢ」では、「ベル」に高確率で当選し、操作タイミング等にかかわらず入賞して、１２枚払出を伴う「ＢＥＬ」を引き込むリール制御が行われる。遊技状態設定処理は、「ＲＢＢ」中における払出枚数を計数し、払出枚数が入賞したボーナス役の種類に応じた枚数（ＲＢＢ１：２００枚、ＲＢＢ２：１００枚）を超えたときに「一般遊技状態」を特定可能な遊技状態フラグを設定する。これにより、図８に示すように、「一般遊技状態」において「ＲＢＢ」に当選・非入賞のときに「ＲＢＢ内部当選状態」に制御し、「ＲＢＢ」に入賞したときに「ＲＢＢ」に制御する。ＲＢＢ中においては、毎遊技において「ＢＥＬ」を入賞させることができるため、効率的にメダルを獲得できる。ＲＢＢにおいて規定数払出があったときには、ＲＢＢ終了となり「一般遊技状態」に制御される。
【０１０４】
遊技状態設定処理が終了すると、Ｓ１００の賭数設定処理に移行して次回の遊技に備える。スロットマシン１は、１遊技毎にＳ１００〜Ｓ５００の処理を繰り返し実行する。また、メインＣＰＵ６１は、スロットマシン１においてエラーが発生しているか否かを判定し、エラーが発生していると判定したときには当該エラーの種類を特定可能なエラーコマンドを出力する。
【０１０５】
＜演出制御処理＞
サブＣＰＵ７１は、メイン制御基板６３からのコマンドに基づいて、ＲＯＭ７７に記憶されている演出制御プログラムを実行し、遊技の進行に応じて演出実行の有無および種類を乱数抽選により決定する演出抽選を行い、その抽選結果に基づいてサブ制御基板７３に接続された液晶表示器２７、スピーカ３１Ｌ、３１Ｒ、および各種ランプ・ＬＥＤなどの演出手段を駆動制御するための演出制御処理を行う。
【０１０６】
（設定示唆演出について）
メインＣＰＵ６１は、設定変更処理において設定された設定値を示唆する設定示唆演出を実行するための処理を行う。設定示唆演出は、設定値に関する情報を示唆する演出である。メインＣＰＵ６１は、ＲＡＭ６５に記憶されている設定値に基づいて、設定示唆演出の実行の有無、設定示唆演出の種類などを乱数抽選により決定し、決定した設定示唆演出の種類を特定するための設定示唆種類コマンドをサブＣＰＵ７１に出力する。
【０１０７】
また、メインＣＰＵ６１は、設定示唆演出に関連する示唆期間として、通常示唆期間と有利示唆期間とのうちのいずれかに制御するための処理を行う。有利示唆期間であるときには、通常示唆期間であるときと同じ設定示唆演出が実行された場合であっても、通常示唆期間であるときよりも遊技者にとって有利な情報を示唆するように定められている期間である。このため、有利示唆期間は、通常示唆期間よりも遊技者にとって有利な示唆期間であるといえる。
【０１０８】
図９は、示唆期間および設定示唆演出を制御するための第１演出関連処理を説明するためのフローチャートである。メインＣＰＵ６１は、例えば一般遊技状態中における１遊技毎に第１演出関連処理を実行する。第１演出関連処理は、例えば、図５のＳ２００の内部抽選処理を終了するタイミングで実行される。
【０１０９】
まず、ＳＡ１１においては、有利示唆期間の抽選契機が成立したか否かを判定する。有利示唆期間の抽選契機は、「１枚役Ａ」「１枚役Ｂ」に当選することや、「ベル」に４回連続して当選すること、前回のＲＢＢが終了してから消化した遊技回数である終了後遊技回数が「４００」に到達することなどが定められている。「１枚役Ａ」「１枚役Ｂ」に当選したか否かは、役抽選の結果に基づき特定される。また、「ベル」に４回連続して当選したか否かは、ベル当選カウンタの値に基づき特定される。メインＣＰＵ６１は、役抽選の結果に基づき「ベル」当選毎にベル当選カウンタの値を１加算し、役抽選において「ベル」当選していないときにベル当選カウンタの値をリセットする。また、前回のＲＢＢが終了してから消化した遊技回数である終了後遊技回数が「４００」に到達したか否かは、終了後遊技回数カウンタの値に基づき特定される。メインＣＰＵ６１は、ＲＢＢ終了後から遊技を消化する毎に終了後遊技回数カウンタの値を１加算し、「ＲＢＢ」当選することにより終了後遊技回数カウンタの値をリセットする。なお、有利示唆期間の抽選契機は、これらに限らず、他の役に当選あるいは入賞することや、はずれとなること、遊技に用いたメダル枚数が所定枚数（例えば７００枚消費（マイナス７００枚））に到達することなどが定められているものであってもよい。
【０１１０】
有利示唆期間の抽選契機が成立していると判定されなかったときには、ＳＡ１３へ移行する一方、有利示唆期間の抽選契機が成立していると判定されたときには、ＳＡ１２へ移行して有利示唆期間に制御するかあるいは有利示唆期間を延長するかを決定する有利示唆期間抽選を実行する。有利示唆期間抽選は、有利示唆期間抽選用テーブルに基づいて実行される。図１０は、有利示唆期間抽選用テーブルを説明するための図である。有利示唆期間抽選用テーブルは、ＲＯＭ６７の所定領域において格納されている。
【０１１１】
有利示唆期間抽選用テーブルは、有利示唆期間の抽選契機の種類毎に、図１０に示す割合で非当選あるいは有利示唆期間に移行（または延長）のいずれかとなるように判定値が定められている。１枚役Ａに当選したときには、５０％の割合で非当選となり、５０％の割合で当選となり有利示唆期間に移行されるか延長される。１枚役Ｂに当選したときには、２０％の割合で非当選となり、８０％の割合で当選となり有利示唆期間に移行されるか延長される。１枚役Ａおよび１枚役Ｂは、ＣＨ１やＣＨ２がボーナス役と同時ではなく単独で当選する当選役グループである。ボーナス役に当選していないときに有利示唆期間に制御される機会が設けられているためボーナス役非当選による残念感を補填でき、遊技の興趣を向上させることができる。また、ボーナス役と同時当選する割合は、ＣＨ１よりもＣＨ２の方が低い。このようなＣＨ２を含む１枚役Ｂに当選したときの方が、ＣＨ１を含む１枚役Ａに当選したときよりも高い割合で有利示唆期間抽選において当選する。これにより、ＣＨ２に当選したときには、ボーナス役に同時当選していることに対する期待感はＣＨ１よりも低いものの、有利示唆期間抽選において当選することに対する期待感をＣＨ１よりも高くすることができ、遊技の興趣を向上させることができる。
【０１１２】
また、ベル４回連続当選時および終了後遊技回数が「４００」到達時には、必ず当選となり有利示唆期間に移行されるか延長される。一般遊技状態においてベル４回連続当選する確率は、図７に示す「ベル」の当選確率から１／４０９６といった極めて低い値となる。また、終了後遊技回数が「４００」に到達する割合は、図７に示す「ボーナス１」〜「ボーナス６」の当選確率からすると比較的低い値となる。このように、頻繁には生じ難い状況に至ったときには、必ず有利示唆期間に移行されるか延長されるため、遊技の興趣を向上させることができる。
【０１１３】
図９に戻り、ＳＡ１２における有利示唆期間抽選において当選すると、メインＣＰＵ６１は、有利示唆期間に制御可能となる残り遊技回数を特定するための有利示唆期間カウンタに所定値（例えば５０）を加算更新する。これにより、所定値に対応する遊技を消化する間に亘り有利示唆期間に制御するか有利示唆期間を延長することができる。メインＣＰＵ６１は、有利示唆期間カウンタの値が１以上であるときに有利示唆期間であり、０であるときに通常示唆期間であることを特定する。
【０１１４】
ＳＡ１３においては、現在が有利示唆期間中であるか否かを判定する。ＳＡ１３において、有利示唆期間中であると判定されなかったときには、ＳＡ１６へ移行する。一方、ＳＡ１３において有利示唆期間中であると判定されたときには、ＳＡ１４において有利示唆期間中である旨を報知するための処理を行う。具体的には、有利示唆期間中コマンドをサブＣＰＵ７１に送信する。サブＣＰＵ７１により実行される演出制御処理では、有利示唆期間中コマンドに基づいて、液晶表示器２７における背景演出として、有利示唆期間中に対応する背景演出（例えば夕方の背景）を実行する。また、ＳＡ１５においては、有利示唆期間カウンタの値を１減算する。メインＣＰＵ６１は、「ボーナス１」〜「ボーナス６」のいずれかに当選したときに有利示唆期間カウンタの値をクリア（０）して、有利示唆期間を終了する。また、メインＣＰＵ６１は、有利示唆期間カウンタの値を特定するためのコマンドをサブＣＰＵ７１に送信して、有利示唆期間に制御可能となる残り遊技回数を液晶表示器２７等において表示させるようにしてもよい。なお、１枚役Ａおよび１枚役Ｂ当選時において後述するように連続演出が実行され得る。１枚役Ａおよび１枚役Ｂ当選時において連続演出が実行される場合には、ＳＡ１４における有利示唆期間中である旨を報知せず、ＳＡ１５において有利示唆期間カウンタの値を減算しない。これにより、即座に有利示唆期間中である旨を報知することにより、１枚役Ａ当選あるいは１枚役Ｂ当選であり、ＲＢＢに当選していないことが連続演出中に特定されてしまうことを防止できる。
【０１１５】
ＳＡ１６においては、設定示唆演出の実行契機が成立したか否かを判定する。設定示唆演出の実行契機は、ＲＢＢ２を含む「ボーナス４」〜「ボーナス６」に当選することが定められている。これにより、ＲＢＢ１よりも規定枚数が少なく設定されているＲＢＢ２の価値を向上させることができ、ＲＢＢ２当選による残念感を補填でき、遊技の興趣を向上させることができる。。
【０１１６】
ＳＡ１６において設定示唆演出の実行契機が成立していると判定されなかったときには、第１演出関連処理を終了する。一方、ＳＡ１６において設定示唆演出の実行契機が成立していると判定されたときには、ＳＡ１７において現在が有利示唆期間中であるか否かを判定する。ＳＡ１７において有利示唆期間中であると判定されなかったとき、つまり通常示唆期間中であるときには、ＳＡ１８において通常示唆期間中テーブルを参照して設定示唆演出の種類を決定するための設定示唆演出抽選を行う。ＳＡ１９においては、ＳＡ１８における設定示唆演出抽選において決定された設定示唆演出の種類を特定するための設定示唆種類コマンドを送信するための処理を行い、第１演出関連処理を終了する。
【０１１７】
一方、ＳＡ１７において有利示唆期間中であると判定されたときには、ＳＡ２０において有利示唆期間中テーブルを参照して設定示唆演出抽選を行う。ＳＡ２１においては、ＳＡ２０における設定示唆演出抽選において決定された設定示唆演出の種類を特定するための設定示唆種類コマンドを送信するための処理を行い、第１演出関連処理を終了する。サブＣＰＵ７１により実行される演出制御処理では、設定示唆種類コマンドに基づいて設定示唆演出の種類を特定し、当該設定示唆演出の種類に属する設定示唆演出を実行する。設定示唆演出は、設定示唆演出の実行契機を成立させたＲＢＢ２が入賞してから当該ＲＢＢが終了するまでの所定タイミングにおいて実行される。
【０１１８】
図１１は、設定示唆演出抽選用テーブルを説明するための図である。設定示唆演出抽選用テーブルは、通常示唆期間中に参照される図１１（ａ）の通常示唆期間中テーブルと、有利示唆期間中に参照される図１１（ｂ）の有利示唆期間中テーブルとを含む。設定示唆演出抽選用テーブルは、ＲＯＭ６７の所定領域において格納されている。
【０１１９】
設定示唆演出抽選用テーブルは、設定されている設定値毎に、図１１に示す振分率で設定示唆演出Ａ〜Ｃのうちのいずれかに決定されるように判定値が定められている。設定示唆演出Ａは、例えば、キャラクタＡをカットイン表示させる演出である。設定示唆演出Ｂは、例えば、キャラクタＢをカットイン表示させる演出である。設定示唆演出Ｃは、例えば、キャラクタＣをカットイン表示させる演出である。設定示唆演出Ａ〜Ｃの演出内容は、これに限らず、各々を区別できる態様で実行されるものであればよい。
【０１２０】
図１１（ａ）を参照して、通常示唆期間中テーブルを説明する。通常示唆期間中テーブルは、例えば、実際に設定されている設定値が「１」であるときには、９０％の割合で設定示唆演出Ａに決定され、１０％の割合で設定示唆演出Ｂに決定されるように判定値が定められている。また、実際に設定されている設定値が「４」であるときには、７５％の割合で設定示唆演出Ａに決定され、２０％の割合で設定示唆演出Ｂに決定され、５％の割合で設定示唆演出Ｃに決定されるように判定値が定められている。その他の設定値についても、図１１（ａ）で示すように振分率が定められている。
【０１２１】
通常示唆期間中テーブルでは、設定示唆演出Ｃについて、設定値１が設定されているときに決定されることがない。このため、通常示唆期間中における設定示唆演出Ｃは、設定されている設定値が２以上であることを確定報知する演出であるといえる。また、通常示唆期間中テーブルでは、設定示唆演出Ｂについて、設定されている設定値が高くなるにしたがって決定される割合が高い。このため、通常示唆期間中における設定示唆演出Ｂは、高い設定値が設定されている可能性が高いことを報知する演出であるといえる。また、通常示唆期間中テーブルでは、設定示唆演出Ａについて、設定されている設定値が高くなるにしたがって決定される割合が低い。このため、通常示唆期間中における設定示唆演出Ａは、設定示唆演出Ｂが実行されたときよりも、高い設定値が設定されている可能性が低いことを報知する演出であるといえる。
【０１２２】
次に、図１１（ｂ）を参照して、有利示唆期間中テーブルを説明する。有利示唆期間中テーブルは、例えば、実際に設定されている設定値が「１」であるときには、１００％の割合で設定示唆演出Ａに決定されるように判定値が定められている。また、実際に設定されている設定値が「３」であるときには、９９％の割合で設定示唆演出Ａに決定され、１％の割合で設定示唆演出Ｂに決定されるように判定値が定められている。その他の設定値についても、図１１（ｂ）で示すように振分率が定められている。
【０１２３】
有利示唆期間中テーブルでは、設定示唆演出Ｃについて、設定値１のみならず設定値２、３が設定されているときにも決定されることがない。このため、有利示唆期間中における設定示唆演出Ｃは、設定されている設定値が４以上であることを確定報知する演出となる。また、有利示唆期間中テーブルでは、設定示唆演出Ｂについて、設定値１および２が設定されているときに決定されることがなく、かつ設定値６であるときにその他の設定値であるときよりも極めて高い割合で決定される。このため、有利示唆期間中における設定示唆演出Ｂは、設定されている設定値が３以上であり、かつ設定値６が設定されている可能性が高いことを報知する演出であるといえる。また、有利示唆期間中テーブルでは、設定示唆演出Ａについて、設定されている設定値が高くなるにしたがって決定される割合が低い。このため、有利示唆期間中における設定示唆演出Ａは、設定示唆演出Ｂが実行されたときよりも、高い設定値が設定されている可能性が低いことを報知する演出であるといえる。
【０１２４】
以上のように、例えば、設定示唆演出Ｂが同じ態様で実行されたときであっても、通常示唆期間中であるときには、高い設定値が設定されている可能性が高いことを報知するのに対し、有利示唆期間中であるときには、設定されている設定値が３以上であり、かつ設定値６が設定されている可能性が高いことを報知する。また、設定示唆演出Ｃが同じ態様で実行されたときであっても、通常示唆期間中であるときには、設定されている設定値が２以上であることを確定報知するのに対し、有利示唆期間中であるときには、設定されている設定値が４以上であることを確定報知する。このように、設定示唆演出Ｂや設定示唆演出Ｃが有利示唆期間中において実行されたときには、通常示唆期間中において実行されたときよりも、遊技者にとっての価値がランクアップした有利な情報が報知される。このため、有利示唆期間に制御されること、および、特定示唆演出としての設定示唆演出Ｂおよび設定示唆演出Ｃのいずれかが実行されることに対する期待感を抱かせることができる。その結果、設定示唆演出により遊技の興趣を向上させることができる。
【０１２５】
また、有利示唆期間の抽選契機は、ＣＨ１やＣＨ２がボーナス役と同時ではなく単独で当選する当選役グループである「１枚役Ａ」および「１枚役Ｂ」のいずれかに当選することにより成立する契機を含む。これにより、ＣＨ１やＣＨ２がボーナス役と同時に当選しなかったことによる残念感を、有利示唆期間に制御されることに対する期待感を抱かせることにより補填でき、遊技の興趣を向上させることができる。また、設定示唆演出の実行契機は、ＲＢＢ１よりも規定枚数が少ないＲＢＢ２に当選することにより成立する契機を含む。これにより、当選したボーナス役が払出されるメダル枚数の少ないＲＢＢ２であったことに対する残念感を、設定示唆演出が実行されることにより抑制でき、遊技の興趣を向上させることができる。
【０１２６】
また、特定示唆演出は、示唆対象が異なる設定示唆演出Ｂおよび設定示唆演出Ｃを含む。これにより、特定示唆演出のバリエーションを豊富にすることができ、示唆演出により遊技の興趣を向上させることができる。
【０１２７】
また、有利示唆期間の抽選契機は、前回のＲＢＢが終了してから消化した遊技回数である終了後遊技回数が「４００」に到達することにより成立する契機を含み、当該契機が成立したときには必ず有利示唆期間に制御（あるいは延長）される。これにより、比較的長い期間に亘ってＲＢＢに制御されていないときであっても、有利示唆期間に制御されて設定示唆演出Ｂや設定示唆演出Ｃが実行さることに対する期待感を抱かせることができ、遊技の興趣を向上させることができる。
【０１２８】
なお、サブＣＰＵ７１により実行される設定示唆演出であって設定示唆演出Ａ〜Ｃ各々に属する設定示唆演出は、設定示唆演出Ａ〜Ｃ各々に対して、複数種類設けられているものであってもよい。例えば、設定示唆演出Ａに属する設定示唆演出としては、キャラクタＡが出現する演出が複数種類設けられているものであってもよい。同様に、設定示唆演出ＢおよびＣ各々に属する設定示唆演出についても、各々に対応するキャラクタが出現する演出が複数種類設けられているものであってもよい。この場合、サブＣＰＵ７１は、設定示唆種類コマンドから特定される設定示唆演出の種類に属する複数種類の演出のうちから乱数抽選等で決定した設定示唆演出を実行するようにしてもよい。
【０１２９】
（連続演出について）
演出制御処理では、役抽選において当選した当選役グループの種別を特定可能な当選種別コマンドを受信したときには、当選役グループの種別に応じた演出を実行可能となる。メインＣＰＵ６１は、例えば、「ボーナス１」〜「ボーナス６」や「１枚役Ａ」「１枚役Ｂ」当選時において、連続演出を実行するための処理を行う。連続演出は、複数回の遊技に亘って所定の演出（ストーリー性を有する内容の演出など）を進行させた後に、当該演出の結末を報知することにより「ＲＢＢ」に当選しているか否かを報知する演出である。演出の結末とは、所定の演出の流れにおける最終的な結論であって、ストーリー性を有する演出の場合には当該ストーリー展開における最終的な結果を意味する。これにより、遊技者は当選した当選役グループを推測しながら遊技を進行させることができ、遊技の興趣を向上させることができる。連続演出は、複数種類設けられている。連続演出は、種類毎に、演出内容（出現するキャラクタ、ストーリー展開等）が異なるように定められている。
【０１３０】
メインＣＰＵ６１は、連続演出を実行するか否かおよび実行する連続演出の種類を決定する連続演出抽選を行い、決定した連続演出の種類を特定するための連続演出種類コマンドをサブＣＰＵ７１に出力する。連続演出抽選は、複数種類の選択用データのうち、ＲＢＢ終了時に設定される選択用データに基づいて行われる。
【０１３１】
図１２は、選択用データの設定および連続演出抽選を行うための第２演出関連処理を説明するためのフローチャートである。メインＣＰＵ６１は、例えば１遊技毎に第２演出関連処理を実行する。第２演出関連処理は、例えば、図５のＳ２００の内部抽選処理を終了するタイミングで実行される。
【０１３２】
まず、ＳＡ３０においては、ＲＢＢが終了したとき（規定数払出時）であるか否かを判定する。ＲＢＢが終了したときであると判定されなかったときには、ＳＡ３３へ移行する一方、ＲＢＢが終了したときであると判定されたときには、ＳＡ３１へ移行する。ＳＡ３１では、現在設定されている選択用データ（前回のＲＢＢ終了時に設定された選択用データ）の種類に応じた種類示唆演出を実行するための処理を行う。具体的には、種類示唆演出コマンドをサブＣＰＵ７１に送信する。サブＣＰＵ７１により実行される演出制御処理では、種類示唆演出コマンドに基づいて、液晶表示器２７等において種類示唆演出を実行する。選択用データとしては、Ａ〜Ｄの４種類が設けられている。種類示唆演出は、例えば、ＲＢＢのエンディング演出中に選択用データに応じて決定されたキャラクタを出現させることにより実行される。例えば、選択用データＡが設定されているときには、他の選択用データが設定されているときよりも高い割合でキャラクタＷを出現させ、選択用データＢが設定されているときには、他の選択用データが設定されているときよりも高い割合でキャラクタＸを出現させ、選択用データＣが設定されているときには、他の選択用データが設定されているときよりも高い割合でキャラクタＹを出現させ、選択用データＤが設定されているときには、他の選択用データが設定されているときよりも高い割合でキャラクタＺを出現させる。種類示唆演出の演出内容は、これに限らず、各々を区別できる態様で実行されるものであればよい。これにより、前回のＲＢＢ終了時から今回終了したＲＢＢまでに参照されていた選択用データの種類を遊技者は推測することができる。
【０１３３】
ＳＡ３２においては、ＲＢＢが終了したことに伴い、選択用データ決定用テーブルを参照して、以降において連続演出抽選に用いる選択用データを設定する。図１３は、選択用データ決定用テーブルを説明するための図である。選択用データ決定用テーブルは、ＲＯＭ７７の所定領域において格納されている。
【０１３４】
選択用データ決定用テーブルは、設定されている設定値毎に、図１３に示す振分率で選択用データＡ〜Ｄのうちのいずれかに決定されるように判定値が定められている。選択用データ決定用テーブルでは、選択用データＡについて、設定されている設定値が高くなるにしたがって決定される割合が低くなるように定められている。これに対し、選択用データＢは、選択用データＡよりも設定されている設定値が高くなるにしたがって決定される割合が高くなるように定められている。また、選択用データＣは、設定されている設定値が高くなるにしたがって決定される割合が選択用データＢよりもさらに高くなるように定められている。また、選択用データＤは、設定値１〜３のいずれかが設定されているときに決定されることがないように決定される割合が定められている。このため、選択用データＤは、設定されている設定値が４以上であることが確定するデータであるといえる。
【０１３５】
図１４および図１５は、選択用データＡ〜Ｄを説明するための図である。選択用データＡ〜Ｄは、各々、図１４に示すように、ＲＢＢ終了後から消化した遊技回数が属する遊技回数の範囲に応じて、抽選用テーブルの種類が特定されるように定められている。遊技回数範囲は、遊技回数が２５回毎に範囲が区切られており、４０１以上については遊技回数にかかわらず共通の範囲が定められている。また、抽選用テーブルとしては、第１テーブル〜第４テーブルが設けられている。選択用データＡ〜Ｄは、各々、遊技回数が４００以下までは遊技回数が２５回に到達する毎に範囲が区切られており、異なる抽選用テーブを特定し、４０１以上については遊技回数にかかわらず共通の範囲が定められ一の抽選用テーブルを特定するように定められている。遊技回数の下二桁が７６〜００の範囲および４０１以上の範囲は、特定期間ともいう。特定期間は、後述するように、実行される連続演出の種類によって設定されている選択用データを絞り込むことが可能となる期間である。
【０１３６】
図１５（ａ）〜図１５（ｄ）は、各々、抽選用テーブルである第１テーブル〜第４テーブルを説明するための図である。第１テーブル〜第４テーブルは、各々、役抽選において「ＲＢＢ」に当選しているか否かに応じて定められた振分率で連続演出Ａ〜Ｃおよび不実行のいずれかに決定されるように、判定値が定められている。第１テーブル〜第４テーブルは、各々、「ＲＢＢ」非当選時であるときよりも「ＲＢＢ」当選時であるときの方が高い割合で連続演出を実行する旨が決定される。このため、連続演出が実行されることにより「ＲＢＢ」に当選していることに対する期待感を遊技者に抱かせることができる。
【０１３７】
また、第１テーブルは、図１５（ａ）に示すように、連続演出ＡおよびＢのいずれかに決定され、連続演出Ｃに決定されることがないように振分率が定められている。第２テーブルは、図１５（ｂ）に示すように、連続演出ＡおよびＣのいずれかに決定され、連続演出Ｂに決定されることがないように振分率が定められている。第３テーブルは、図１５（ｃ）に示すように、連続演出Ａ〜Ｃのいずれかに決定され、図１５（ｂ）に示す第２テーブルなどと比較して連続演出Ｃに決定される割合が高くなうように振分率が定められている。第４テーブルは、図１５（ｄ）に示すように、連続演出Ａ〜Ｃのいずれかに決定されるが、「ＲＢＢ」非当選時であるときには連続演出Ｃに決定されないように振分率が定められている。
【０１３８】
図１４に示すように、選択用データＡ、Ｃ、およびＤと、選択用データＢとは、遊技回数が４０１以上の特定期間に到達するまでの期間においては、常に異なる抽選用テーブルが特定される。このため、設定されている選択用データがＡ、Ｃ、およびＤのいずれかであるか、Ｂであるかを推測することが可能となる。例えば、遊技回数が１〜２５の期間において、連続演出Ｂが実行されたときには選択用データＡ、Ｃ、およびＤのいずれかであることを推測でき、連続演出Ｃが実行されたときには選択用データＢであることを推測できる。
【０１３９】
また、選択用データＡと、選択用データＣ、Ｄとは、遊技回数が４００までのうちの特定期間においては、常に異なる抽選用テーブルが特定される。このため、設定されている選択用データがＡであるか、ＣおよびＤのいずれかであるかを推測することが可能となる。例えば、遊技回数が７６〜１００の特定期間において、連続演出Ｃが実行されて「ＲＢＢ」非当選が報知されたときには、選択用データがＣおよびＤのいずれかであることを推測できる。
【０１４０】
さらに、選択用データＣと、選択用データＤとは、遊技回数が４０１以上の特定期間においては、異なる抽選用テーブルが特定される。このため、設定されている選択用データがＣであるかＤであるかを推測することが可能となる。例えば、遊技回数が４０１以上の特定期間において、連続演出Ｃが実行されて「ＲＢＢ」非当選が報知されたときには、選択用データがＤであることを推測できる。このように、遊技回数と実行される連続演出との関係から、設定されている選択用データを絞り込むことができる。
【０１４１】
図１２に戻り、ＳＡ３３では、ＲＢＢ終了後から消化した遊技回数が特定期間に属する回数であるか否かを判定する。メインＣＰＵ６１は、ＲＢＢ終了後から遊技を消化する毎に遊技回数カウンタの値が１ずつ加算更新する。ＳＡ３３では、遊技回数カウンタの値に基づいて判定する。ＳＡ３３において特定期間に属する回数であると判定されなかったときには、ＳＡ３５へ移行する一方、特定期間に属する回数であると判定されたときには、ＳＡ３４において特定期間である旨を報知するための処理を行う。具体的には、遊技回数カウンタの値を特定可能な遊技回数コマンドをサブＣＰＵ７１に送信する。サブＣＰＵ７１により実行される演出制御処理では、遊技回数コマンドに基づいて、ＲＢＢ終了後から消化した遊技回数を液晶表示器２７の右上領域において更新表示し、特定期間中であるときには非特定期間中と異なる特別な態様で遊技回数を更新表示することにより、特定期間である旨を報知する。なお、特定期間である旨は、「特定期間中」といったメッセージを表示することにより報知するものであってもよい。これにより、特定期間である旨が示唆されるため、特定期間に対する注目度合いを向上させることができる。
【０１４２】
Ｓ３５においては、連続演出に関する抽選契機が成立したか否かを判定する。有利示唆期間の抽選契機は、「ボーナス１」〜「ボーナス６」「１枚役Ａ」「１枚役Ｂ」のうちのいずれかに当選することにより成立する。ＳＡ３５において、連続演出に関する抽選契機が成立していると判定されなかったときには、そのまま第２演出関連処理を終了する。
【０１４３】
一方、ＳＡ３５において連続演出に関する抽選契機が成立していると判定されたときには、ＳＡ３６においてＲＢＢ終了後から消化した遊技回数およびＳＡ３２において設定されている選択用データに基づいて抽選用テーブルを特定する。例えば、選択用データＡが設定されている場合には、図１４の選択用データＡ欄を参照し、ＲＢＢ終了後からの遊技回数が１〜２５の範囲に属するときには、抽選用テーブルとして第１テーブルが特定され、２６〜５０の範囲に属する場合は抽選用テーブルとして第２テーブルが特定され、５１〜７５の範囲に属する場合は抽選用テーブルとして第１テーブルが特定され、７６〜１００の範囲に属する場合は抽選用テーブルとして第４テーブルが特定される。また、選択用データＢが設定されている場合には、図１４の選択用データＢ欄を参照し、ＲＢＢ終了後からの遊技回数が１〜２５の範囲に属するときには、抽選用テーブルとして第２テーブルが特定され、２６〜５０の範囲に属する場合は抽選用テーブルとして第１テーブルが特定され、５１〜７５の範囲に属する場合は抽選用テーブルとして第２テーブルが特定され、７６〜１００の範囲に属する場合は抽選用テーブルとして第１テーブルが特定される。
【０１４４】
ＳＡ３７においては、ＳＡ３６において特定された抽選用テーブルを参照して、連続演出抽選処理を実行して、第２演出関連処理を終了する。メインＣＰＵ６１は、連続演出抽選処理の抽選結果に応じて、連続演出を実行するための処理を実行する。連続演出を実行するための処理は、具体的には、連続演出抽選処理の抽選結果に応じて、決定された連続演出の種類を特定するための連続演出種類コマンドをサブＣＰＵ７１に送信する。サブＣＰＵ７１により実行される演出制御処理では、連続演出種類コマンドに基づいて連続演出の種類を特定し、当該連続演出の種類に属する連続演出を実行する。
【０１４５】
ここで、ＲＢＢ終了後からの遊技回数が特定期間に属する場合に着目して説明する。遊技回数の下二桁が７６〜００の範囲における特定期間では、図１４に示すように、選択用データＡ設定時に第４テーブルが特定され、選択用データＢ設定時に第１テーブルが特定され、選択用データＣまたはＤ設定時には第３テーブルが特定される。また、ＲＢＢ非当選時において連続演出Ｃに決定される割合は、図１５に示すように、第４テーブルまたは第１テーブルが特定されているときと、第３テーブルが特定されているときとで異なる。より具体的には、ＲＢＢ非当選時において第４テーブルまたは第１テーブルが特定されているときには連続演出Ｃに決定されることがないのに対し、第３テーブルが特定されているときには連続演出Ｃに比較的高い割合で決定される。これにより、遊技回数の下二桁が７６〜００の範囲における特定期間において、連続演出Ｃが実行されて、連続演出Ｃの結末により「ＲＢＢ」非当選が報知されたときには、第３テーブルが特定されているため選択用データＣまたはＤが設定されていることを間接的に報知（推測）することができる。また、選択用データＣまたはＤは、図１３で示したように、比較的高い設定値が設定されているときに決定され得る選択用データである。その結果、遊技回数の下二桁が７６〜００の範囲における特定期間において、連続演出Ｃが実行されて、「ＲＢＢ」非当選が報知されたときには、間接的に、比較的高い設定値が設定されていることを確定報知（推測）できる。また、選択用データおよび設定値を推測可能となることにより、「ＲＢＢ」非当選であることによる落胆度合いを軽減できる。また、特定期間において連続演出Ｃが開始されたときには「ＲＢＢ」当選報知か比較的高い設定値が設定されていることを報知することになるため、特定期間において連続演出Ｃが実行されることに対する期待感を向上させることができる。
【０１４６】
また、遊技回数の下二桁が７６〜００の範囲における特定期間においては、選択用データＣおよび選択用データＤのいずれが設定されているときであっても、共通の第３テーブルが特定される。このため、選択用データＣおよび選択用データＤのいずれか一方のみについて第３テーブルが対応付けられている場合には、特定期間において連続演出Ｃが実行されて「ＲＢＢ」非当選が報知されたときであっても、第３テーブルが対応付けられている選択用データが設定されているときにしか選択用データを絞り込むことができないのに対し、選択用データＣおよび選択用データＤのいずれかが設定されているときにこれらの選択用データに絞り込むことができる。このため、選択用データＣおよび選択用データＤであることを特定できる機会を増やすことができる。
【０１４７】
また、遊技回数が「４０１」以上の範囲における特定期間では、図１４に示すように、選択用データＡ設定時のみならず選択用データＢおよびＣ設定時においても第４テーブルが特定され、選択用データＤ設定時にのみ第３テーブルが特定される。これにより、遊技回数が「４０１」以上の範囲における特定期間において、連続演出Ｃが実行されて、「ＲＢＢ」非当選が報知されたときには、第３テーブルが特定されているため、選択用データＤが設定されていることを間接的に報知（推測）することができ、選択用データの種類をより絞り込むことができる。また、選択用データＤは、図１３で示したように、設定されている設定値が４以上であるときにのみ決定され得る選択用データである。その結果、遊技回数が「４０１」以上の範囲における特定期間において、連続演出Ｃが実行されて、「ＲＢＢ」非当選が報知されたときには、間接的に、設定値が「４」以上であることを確定報知（推測）できる。
【０１４８】
また、ＳＡ３１において示したように、現在設定されている選択用データ（前回のＲＢＢ終了時に設定された選択用データ）の種類に応じた種類示唆演出が実行される。このため、ＲＢＢに制御されることに対して選択用データの種類を示唆するといった価値を付加することができ、ＲＢＢに制御されることに対する期待感を向上させることができる。また、ＲＢＢが終了してから新たにＲＢＢに制御されるまでの間に連続演出Ｃが実行された履歴と、示唆された選択用データの種類とに基づいて、設定されている設定値を推測するという面白さを提供できる。
【０１４９】
また、特定期間は、図１４に示すように、遊技を７５回消化する毎に到来するよう複数の範囲に亘り定められている。このため、設定されている選択用データの種類を特定して設定されている設定値を推測するという面白さを提供できる機会を複数回の期間に亘って遊技者に提供できる。これにより、例えば、ＲＢＢ終了後の遊技回数が７６〜１００に相当する特定期間が終了した後においても、遊技回数が１７６〜２００となって再び特定期間となることに対する期待感を遊技者に抱かせることができる。
【０１５０】
なお、サブＣＰＵ７１により実行される連続演出であっては、メインＣＰＵ６１により決定される連続演出Ａ〜Ｃ各々に対して、複数種類設けられているものであってもよい。この場合、サブＣＰＵ７１は、連続演出種類コマンドから特定される連続演出の種類に属する複数種類の演出のうちから乱数抽選等で決定した連続演出を実行するようにしてもよい。
【０１５１】
＜変形例＞
上記実施形態は全ての点で例示であって制限的なものではないと考えられるべきである。本発明の範囲は特許請求の範囲によって示され、特許請求の範囲と均等の意味および範囲内での全ての変更が含まれることが意図される。以下に、実施形態に対する変更を例示する。
【０１５２】
（示唆演出に関する変形例）
（ａ）  図１１において示した設定示唆演出Ｂは、通常示唆期間であるときには設定値１〜設定値６のいずれが設定されているときでも実行可能とし、有利示唆期間であるときには設定値３以上が設定されているときに実行可能とすることにより、有利示唆期間中に実行されたときには設定値３以上であることを確定報知可能となる例について説明した。しかし、設定示唆演出Ｂは、通常示唆期間であるときには設定値１〜設定値６のいずれが設定されているときでも実行可能とし、有利示唆期間であるときには設定値２以下が設定されているときであっても通常示唆期間であるときよりも低い割合で実行可能とすることにより、有利示唆期間中に実行されたときには設定値３以上である可能性が高くなるようにしてもよい。なお、設定示唆演出Ｃについても同様に、有利示唆期間であるときには設定値３以下が設定されているときであっても通常示唆期間であるときよりも低い割合で実行可能とすることにより、有利示唆期間中に実行されたときには設定値４以上である可能性が高くなるようにしてもよい。
【０１５３】
（ｂ）  設定示唆演出の種類は、上記実施形態および変形例における設定示唆演出に限るものではない。設定示唆演出としては、実際に設定されている設定値が奇数であるときに実行可能となる設定示唆演出Ｄや、実際に設定されている設定値が偶数であるときに実行可能となる設定示唆演出Ｅを含むものであってもよい。また、設定示唆演出Ｄについては、通常示唆期間においては奇数であればいずれの設定値であっても実行可能であるのに対し、有利示唆期間においては奇数のうち３以上の奇数であるときにのみ実行可能となるようにしてもよく、また、有利示唆期間においては奇数のうち３未満の奇数（１）であるときに実行される割合を通常示唆期間であるときよりも低くなるようにしてもよい。また、設定示唆演出Ｅについては、通常示唆期間においては偶数であればいずれの設定値であっても実行可能であるのに対し、有利示唆期間においては偶数のうち４以上の偶数であるときにのみ実行可能となるようにしてもよく、また、有利示唆期間においては偶数のうち４未満の偶数（２）であるときに実行される割合を通常示唆期間であるときよりも低くなるようにしてもよい。これにより、設定示唆演出のバリエーションを豊富にすることができ、設定示唆演出により遊技の興趣を向上させることができる。
【０１５４】
また、設定示唆演出としては、実際に設定されている設定値が所定の設定値（例えば、２、３など）ではないことを示唆する演出（以下、否定示唆演出ともいう）や、設定変更されたか否かを示唆する演出（以下、変更示唆演出ともいう）を含むものであってもよい。否定示唆演出については、通常示唆期間においては設定値２以外が設定されているときに実行可能とすることにより設定値２ではないことを示唆するのに対し、有利示唆期間においては設定値２に加えて設定値１、３以外が設定されているときに実行可能とすることにより設定値１〜３ではないことを示唆するようにしてもよい。また、変更示唆演出については、通常示唆期間においては設定変更されているときに実行可能とすることにより設定変更されたこと（変更履歴）を示唆するのに対し、有利示唆期間においては設定変更されかつ当該設定変更前の設定値よりも高い設定値に変更されているときに実行可能とすることにより高い設定値に設定変更されていること（変更履歴＋設定値向上）を示唆するようにしてもよい。
【０１５５】
（ｃ）  上記実施形態および変形例では、有利示唆期間への制御契機として、前回のＲＢＢが終了してから消化した遊技回数である終了後遊技回数が所定回数（４００）に到達すること、つまり所定回数に亘ってＲＢＢに制御されないことにより成立する制御契機を含む例について説明した。しかし、有利示唆期間への制御契機としては、前回の有利示唆期間が終了してから消化した遊技回数が所定回数（１００）に到達すること、つまり所定回数に亘って有利示唆期間に制御されないことにより成立する制御契機を含むものであってもよい。これにより、有利示唆期間に予め定められた期間が経過する間に亘って制御されないときであっても、有利示唆期間に制御されて特定示唆演出である設定示唆演出Ｂ等が実行されることに対する期待感を抱かせることができ、遊技の興趣を向上させることができる。
【０１５６】
（ｄ）  上記実施形態および変形例において特定示唆演出の例である設定示唆演出Ｂは、通常示唆期間であるか有利示唆期間であるかにかかわらず、同一の実行契機が成立したときに、同一の実行タイミングで、同一の演出内容を実行することにより、通常示唆期間中であるときよりも有利示唆期間中であるときの方が遊技者にとって有利な情報を示唆する例について説明した。しかし、特定示唆演出は、少なくとも同一の実行タイミングで、同一の演出内容を実行することにより、通常示唆期間中であるときよりも有利示唆期間中であるときの方が遊技者にとって有利な情報を示唆するものであれば、実行契機については通常示唆期間と有利示唆期間とで異なるものであってもよい。例えば、特定示唆演出の実行契機は、通常示唆期間中であるときよりも有利示唆期間中であるときの方が成立する割合が高くなるように定められているものであってもよい。
【０１５７】
（ｅ）  上記実施形態および変形例では、図９のＳＡ１２における有利示唆期間抽選において当選すると有利示唆期間カウンタに所定値（例えば５０）が加算更新される例について説明した。しかし、有利示唆期間抽選において当選したときに加算更新される値は、予め定められた値に限らず、乱数抽選などにより複数の値のうちのいずれかに決定するようにしてもよい。
【０１５８】
（ｆ）  上記実施形態および変形例では、図１０において示すように、成立した抽選契機に応じた割合で有利示唆期間に制御（あるいは延長）する例について説明したが、これに替えてあるいは加えて、実際に設定されている設定値に応じた割合で有利示唆期間に制御（あるいは延長）するようにしてもよい。例えば、設定されている設定値が１〜３であるときよりも４〜６であるときの方が、高い割合で有利示唆期間に制御（あるいは延長）されるように有利示唆期間抽選が行われるものであってもよい。これにより、有利示唆期間に制御（あるいは延長）される頻度から設定されている設定値を推測することができ、遊技の興趣を向上させることができる。
【０１５９】
（ｇ）  設定示唆演出の実行契機は、ＲＢＢ２を含む当選役グループに当選することにより成立する例について説明したが、これらに替えてあるいは加えて、他の役（例えば、「ボーナス１」〜「ボーナス６」、「１枚役Ａ」「１枚役Ｂ」）に当選あるいは入賞することや、はずれとなること、遊技を予め定められた回数（例えば、２０）だけ消化することなどが定められているものであってもよい。
【０１６０】
（可能性演出に関する変形例）
（ａ）  上記実施形態および変形例では、可能性演出として連続演出を例示するとともに、図１５（ｄ）に示す第４テーブルにおいて「ＲＢＢ」非当選時には連続演出Ｃに決定されないようにすることにより、遊技回数が４００までのうちの特定期間において、連続演出Ｃが実行されて「ＲＢＢ」非当選が報知されたときには、選択用データがＣおよびＤのいずれかであることを特定（推測）できる例について説明した。しかし、特定期間において選択用データＡが設定されているときに参照される第４テーブルと、選択用データＣまたはＤが設定されているときに参照される第３テーブルとにおいて、「ＲＢＢ」非当選時に連続演出Ｃに決定される割合が異なるように定められているものであれば、これに限らず、例えば、第４テーブルは、「ＲＢＢ」非当選時において連続演出Ｃに決定される割合が第３テーブルよりも低い割合（１％）で決定され得るように振分率が定められているものであってもよい。これにより、特定期間において連続演出Ｃが実行されて「ＲＢＢ」非当選が報知されることにより、第４テーブルを参照する選択用データＡではなく、第３テーブルを参照する選択用データＣまたはＤが設定されている可能性が高いことを推測でき、推測した選択用データから設定されている設定値を推測するという面白さを提供できるとともに、有利状態に制御する旨が決定されていないことによる落胆度合いを軽減できる。その結果、遊技の興趣を向上させることができる。
【０１６１】
（ｂ）  上記実施形態および変形例では、遊技回数が「４０１」以上の範囲における特定期間においてのみ、図１４に示すように、選択用データＡ設定時のみならず選択用データＢおよびＣ設定時においても第４テーブルが特定され、選択用データＤ設定時にのみ第３テーブルが特定される例について説明した。しかし、選択用データＡ設定時のみならず選択用データＢおよびＣ設定時においても第４テーブルが特定され、選択用データＤ設定時にのみ第３テーブルが特定される期間は、これに限らず、例えば、遊技回数が７６〜１００の範囲における特定期間に適用してもよい。これにより、ＲＢＢ終了後の比較的早いタイミングであっても、連続演出Ｃが実行されて「ＲＢＢ」非当選が報知されたときには、間接的に、設定値が「４」以上であることを確定報知（推測）できる機会を付与できるため、遊技の興趣を向上させることができる。
【０１６２】
（ｃ）  上記実施形態および変形例における特定期間は、ＲＢＢ終了後における遊技回数により特定される期間である例について説明した。しかし、特定期間は、所定の開始条件が成立してから所定の終了条件が成立するまでの期間であればこれに限るものではない。所定の開始条件は、例えば、所定の役に当選あるいは入賞することや、はずれとなること、遊技に用いたメダル枚数が所定枚数（例えば７００枚消費（マイナス７００枚））に到達すること、乱数抽選で当選することにより成立する条件であってもよく、ストップスイッチ２１Ｌ〜２１Ｒへの操作態様が所定の操作態様となることなどを契機として成立するものであってもよい。また、所定の終了条件についても同様に、例えば、所定の役に当選あるいは入賞することや、はずれとなること、遊技に用いたメダル枚数が所定枚数（例えば７００枚消費（マイナス７００枚））に到達すること、乱数抽選で当選することにより成立する条件であってもよく、ストップスイッチ２１Ｌ〜２１Ｒへの操作態様が所定の操作態様となることなどを契機として成立するものであってもよい。また、所定の開始条件および所定の終了条件は、同じ契機により成立するものであってもよく、異なる契機により成立するものであってもよい。この場合においても、特定期間であるときには、特定期間である旨を報知するようにしてもよい。
【０１６３】
（ｄ）  上記実施形態および変形例では、選択用データとしてＡ〜Ｄの４種類を例示したが、これに限らず、選択用データＡ、Ｃ、およびＤの３種類が定められているものであってもよく、２種類あるいは５種類以上定められているものであってもよい。
【０１６４】
（ｅ）  上記実施形態および変形例では、特定期間であるか非特定期間であるかにかかわらず、同じ態様（例えば、タイトルの色合い等）で連続演出を実行する例について説明した。しかし、連続演出の態様は、特定期間であるときと非特定期間であるときとで異なるようにしてもよい。例えば、同じ種類の連続演出であっても、特定期間中に実行するときには、非特定期間で実行するときよりも目立つ態様（例えば、赤色）となるようにしてもよい。この場合、さらに、連続演出開始時においては同じ態様で実行し、例えば、演出用操作部８１への操作に応じて特定期間中であるときには連続演出の態様を目立つ態様に切替えるようにしてもよい。
【０１６５】
（ｆ）  上記実施形態および変形例では、可能性演出として複数回の遊技に亘って実行される連続演出を例示した。しかし、可能性演出は、有利状態に制御する旨が決定されている可能性を示唆する演出であればこれに限らず、例えば、１回の遊技において完結する演出であってもよい。
【０１６６】
（その他）
上記実施形態および変形例では、メインＣＰＵ６１からサブＣＰＵ７１へ設定値を特定可能なコマンド等を出力することなく、図９〜図１５を参照して説明した第１演出関連処理および第２演出関連処理を、メインＣＰＵ６１側において実行する例について説明した。これにより、メインＣＰＵ６１から設定値を特定可能なコマンドが出力されないため、スロットマシン１のセキュリティを向上させつつ、設定値に応じて設定示唆演出を実行することができるとともに選択用データを設定することができる。しかし、第１演出関連処理および第２演出関連処理の一部（設定値を参照する必要性を有する処理）をメインＣＰＵ６１側において実行し、他の処理をサブＣＰＵ７１側において実行するようにしてもよい。例えば、メインＣＰＵ６１側において第１演出関連処理および第２演出関連処理のうち設定値を参照する処理（例えば、第１演出関連処理のうちＳＡ１６、ＳＡ１８〜ＳＡ２１について、ＳＡ１６でＹＥＳのときにＳＡ１８〜ＳＡ２１すべてを実行する処理、第２演出関連処理のうちＳＡ３０、ＳＡ３２について、ＳＡ３０においてＹＥＳのときにＳＡ３２を実行する処理など）を実行し、処理結果（例えば、ＳＡ１９およびＳＡ２１により設定された設定示唆演出、ＳＡ３２により設定された選択用データ）を特定可能なコマンドを出力するようにする。さらに、サブＣＰＵ７１側では、第１演出関連処理のうちＳＡ１１〜ＳＡ１２における有利示唆期間抽選に関する処理や、ＳＡ１３〜ＳＡ１５における有利示唆期間中に関する処理を行い、メインＣＰＵ６１からの設定示唆演出を特定可能なコマンドに基づき有利示唆期間中であるか否かに応じた設定示唆演出を実行するようにしてもよい。また、サブＣＰＵ７１側では、第２演出関連処理のうちＳＡ３２以外の処理を実行するとともに、メインＣＰＵ６１からの選択用データを特定可能なコマンドに基づき選択用データを設定し、当該選択用データに基づいてＳＡ３６等の処理を実行するようにしてもよい。これにより、処理負担をメインＣＰＵ６１側とサブＣＰＵ７１側とに分散することができる。また、メインＣＰＵ６１からサブＣＰＵ７１へ設定値を特定可能なコマンド等を出力し、図９〜図１５を参照して説明した第１演出関連処理および第２演出関連処理をサブＣＰＵ７１側において実行するようにしてもよい。
【０１６７】
役抽選の対象となる当選役グループとしては、ストップスイッチ２１Ｌ〜２１Ｒへの操作態様（例えば押し順）に応じて、遊技者にとっての有利度合い（払出枚数、移行される遊技状態など）が異なる図柄組合せを停止させる当選役グループ（いわゆる、押し順ベル、押し順リプレイ、以下、押し順役ともいう）を設けてもよい。このような押し順役を設けた場合において、当該押し順役に当選したときに遊技者にとって有利度合いが高い図柄組合せを停止させる有利な操作態様を報知（いわゆる、ナビ演出）するようにしてもよい。また、有利状態としては、押し順役当選時における有利な操作態様の報知を所定期間に亘り実行する報知期間（いわゆる、ＡＴ、擬似ボーナスなど）に制御するようにしてもよい。また、上記実施形態では、有利状態として、ＲＢＢを例示したが、これに替えてあるいは加えて、前述した報知期間であってもよく、また、報知期間に制御される割合が通常モードよりも高まる高確率モードなどであってもよい。報知期間あるいは高確率モードなどに制御される割合は、設定されている設定値に応じて異なるように定められているものであればよい。
【０１６８】
上記実施形態では、可変表示部１３が３つの左可変表示列１０Ｌ〜右可変表示列１０Ｒを備える例について説明するが、これに限らず、１つの可変表示列を備える遊技機であっても、４つ以上の可変表示列を備える遊技機であってもよい。また、可変表示部１３は、リール１１Ｌ〜１１Ｒにより構成される例を示したが、これに限らず、液晶表示器や７セグメントＬＥＤなどの表示装置により構成されるものであってもよい。また、可変表示部１３に対して入賞ラインとして１本のみ設定されている例について説明したが、これに限らず、複数の入賞ラインが設定されているものであってもよい。
【符号の説明】
【０１６９】
１  スロットマシン、１１Ｌ，１１Ｍ，１１Ｒ  リール、１４Ｌ，１４Ｍ，１４Ｒ  リールモータ、２１Ｌ，２１Ｍ，２１Ｒ  ストップスイッチ、２７  液晶表示器、６３  メイン制御基板、７３  サブ制御基板。
【図１】
2020000638.tif 000003
【図２】
2020000638.tif 000004
【図３】
2020000638.tif 000005
【図４】
2020000638.tif 000006
【図５】
2020000638.tif 000007
【図６】
2020000638.tif 000008
【図７】
2020000638.tif 000009
【図８】
2020000638.tif 000010
【図９】
2020000638.tif 000011
【図１０】
2020000638.tif 000012
【図１１】
2020000638.tif 000013
【図１２】
2020000638.tif 000014
【図１３】
2020000638.tif 000015
【図１４】
2020000638.tif 000016
【図１５】
2020000638.tif 000017